(57)【要約】      （修正有）【解決手段】印刷層を有する積層シートの製造方法は、画像データに含まれる特定領域の濃度データと当該画像データに基づき印刷が行われた場合の当該特定領域に対応する印刷層の燃焼度とを関連付けるテーブルを画像−燃焼度変換テーブルとするとき、積層シートの印刷条件に適合する画像−燃焼度変換テーブルを特定することＳ１０１と、積層シートの印刷層を形成するための画像データである印刷画像データを取得するＳ１０２ことと、画像−燃焼度変換テーブルと印刷画像データとに基づいて、印刷層の燃焼度を演算するＳ１０３こと、を含む。【効果】印刷層を有する積層シート、その製造システム、製造プログラムも開示される。【選択図】図２
2020049784.tif 000002
【特許請求の範囲】
【請求項１】
画像データに含まれる特定領域の濃度データと当該画像データに基づき印刷が行われた場合の当該特定領域に対応する印刷層の燃焼度とを関連付けるテーブルを画像−燃焼度変換テーブルとするとき、
プロセッサが、積層シートの印刷条件に適合する画像−燃焼度変換テーブルを特定することと、
プロセッサが、積層シートの印刷層を形成するための画像データである印刷画像データを取得することと、
プロセッサが、画像−燃焼度変換テーブルと印刷画像データとに基づいて、印刷層の燃焼度を演算することと、
プロセッサが、演算された燃焼度に基づいて、積層シートが燃焼度基準を満たすか否かを判定することと、
燃焼度基準を満たすと判定された場合に、プロセッサの指令に基づいてプリンタが、印刷条件および印刷画像データに従って印刷層を形成することと、を含む
印刷層を有する積層シートの製造方法。
【請求項２】
印刷層が基材シート上に形成され、
印刷条件には基材シート情報が含まれ、
プロセッサが、基材シート情報に基づいて画像−燃焼度変換テーブルを特定し、
プロセッサが、画像−燃焼度変換テーブルと印刷画像データとに基づいて、積層シートの燃焼度を演算し、
プロセッサが、積層シートの燃焼度を基準値と比較することにより、積層シートが燃焼度基準を満たすか否かを判定する、請求項１に記載の製造方法。
【請求項３】
印刷層が基材シート上に形成され、
プロセッサが、画像−燃焼度変換テーブルと印刷画像データとに基づいて、印刷層の燃焼度を演算し、
プロセッサが、印刷層の燃焼度を、基材シートに応じて定められた基準値と比較することにより、積層シートが燃焼度基準を満たすか否かを判定する、請求項１に記載の製造方法。
【請求項４】
印刷層が基材シート上に形成され、
プロセッサが、画像−燃焼度変換テーブルと印刷画像データと基材シートの燃焼度とに基づいて、積層シートの燃焼度を演算し、
プロセッサが、積層シートの燃焼度を基準値と比較することにより、積層シートが燃焼度基準を満たすか否かを判定する、請求項１に記載の製造方法。
【請求項５】
印刷層が積層シートの表面に凹凸を形成するためのテクスチャ層を含み、
画像データがテクスチャ層を形成するためのデータを含む、
請求項１ないし４のいずれかに記載の製造方法。
【請求項６】
画像−燃焼度変換テーブルは、印刷層を形成する塗料の種類毎に、画像データ上の濃度と、プリンタによる塗料の適用量とを関連付けたテーブルである、請求項１ないし５のいずれかに記載の製造方法。
【請求項７】
画像−燃焼度変換テーブルは、印刷層を形成する塗料の種類毎に、画像データ上の１ピクセル単位の濃度と、プリンタによる１ピクセル単位の塗料の適用量とを関連付けたテーブルである、請求項１ないし５のいずれかに記載の製造方法。
【請求項８】
画像データは、シアン、マゼンタ、イエロー、テクスチャの少なくとも４種類の濃度データを含み、
塗料は、シアン、マゼンタ、イエロー、テクスチャの少なくとも４種類を含む、請求項６または７に記載の製造方法。
【請求項９】
燃焼度を演算することは、サンプリングエリアにおける印刷層の燃焼度を演算することであり、
プロセッサが、サンプリングエリアにおける印刷層の燃焼度に基づいて判定を行う、
請求項１ないし８のいずれかに記載の製造方法。
【請求項１０】
さらに、プロセッサの指令に基づいてプリンタが、印刷条件および印刷画像データに従い、燃焼度が最も高いサンプリングエリアにつき印刷層を形成することを含む、請求項９に記載の製造方法。
【請求項１１】
燃焼度は、サンプリングエリアにおける塗料の適用量と対応している、請求項９または１０に記載の製造方法。
【請求項１２】
プロセッサが、印刷画像データの全面でサンプリングエリアを順次移動させ、それぞれのサンプリングエリアの燃焼度を演算する、請求項９ないし１１のいずれかに記載の製造方法。
【請求項１３】
プロセッサが、最も燃焼度の高いサンプリングエリアの燃焼度を基準値と比較することにより、積層シートが燃焼度基準を満たすか否かを判定する、請求項９ないし１２のいずれかに記載の製造方法。
【請求項１４】
プロセッサが、サンプリングエリアの平均燃焼度を基準値と比較することにより、積層シートが燃焼度基準を満たすか否かを判定する、請求項９ないし１２のいずれかに記載の製造方法。
【請求項１５】
適用量は、塗料の重量、塗料の厚さ、塗料中の樹脂の重量の少なくともいずれかである、請求項６、７、１１のいずれかに記載の製造方法。
【請求項１６】
印刷層がインクジェットプリンタで形成される、請求項１ないし１５のいずれかに記載の製造方法。
【請求項１７】
請求項１ないし１６のいずれかに記載の製造方法で製造された印刷層を有する積層シートを取得し、
積層シートの一方の面に接着剤層を形成する、
印刷層と接着剤層とを有する積層シートの製造方法。
【請求項１８】
画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定する変換テーブル特定手段と、
積層シートの印刷層を形成するための画像データである印刷画像データを取得する印刷画像データ取得手段と、
画像−燃焼度変換テーブルと印刷画像データとに基づいて、印刷層の燃焼度を演算する燃焼度演算手段と、
演算された燃焼度に基づいて、積層シートが燃焼度基準を満たすか否かを判定する判定手段と、
燃焼度基準を満たすと判定された場合に、印刷条件および印刷画像データに従って印刷層を形成する印刷層形成手段と、を含む
印刷層を有する積層シートの製造システム。
【請求項１９】
印刷層が基材シート上に形成され、
印刷条件には基材シート情報が含まれ、
変換テーブル特定手段は、基材シート情報に基づいて画像−燃焼度変換テーブルを特定し、
燃焼度演算手段は、画像−燃焼度変換テーブルと印刷画像データとに基づいて、積層シートの燃焼度を演算し、
判定手段は、積層シートの燃焼度を基準値と比較することにより、積層シートが燃焼度基準を満たすか否かを判定する、請求項１８に記載の製造システム。
【請求項２０】
印刷層が基材シート上に形成され、
燃焼度演算手段は、画像−燃焼度変換テーブルと印刷画像データとに基づいて、印刷層の燃焼度を演算し、
判定手段は、印刷層の燃焼度を、基材シートに応じて定められた基準値と比較することにより、積層シートが燃焼度基準を満たすか否かを判定する、請求項１８に記載の製造システム。
【請求項２１】
印刷層が基材シート上に形成され、
燃焼度演算手段は、画像−燃焼度変換テーブルと印刷画像データと基材シートの燃焼度とに基づいて、積層シートの燃焼度を演算し、
判定手段は、積層シートの燃焼度を基準値と比較することにより、積層シートが燃焼度基準を満たすか否かを判定する、請求項１８に記載の製造システム。
【請求項２２】
印刷層が積層シートの表面に凹凸を形成するためのテクスチャ層を含み、
画像データがテクスチャ層を形成するためのデータを含む、
請求項１８ないし２１のいずれかに記載の製造システム。
【請求項２３】
画像−燃焼度変換テーブルは、印刷層を形成する塗料の種類毎に、画像データ上の濃度と、プリンタによる適用量とを関連付けたテーブルである、請求項１８ないし２２のいずれかに記載の製造システム。
【請求項２４】
画像−燃焼度変換テーブルは、印刷層を形成する塗料の種類毎に、画像データ上の１ピクセル単位の濃度と、プリンタによる１ピクセル単位の適用量とを関連付けたテーブルである、請求項１８ないし２２のいずれかに記載の製造システム。
【請求項２５】
画像データは、シアン、マゼンタ、イエロー、テクスチャの少なくとも４種類の濃度データを含み、
塗料は、シアン、マゼンタ、イエロー、テクスチャの少なくとも４種類を含む、請求項２３または２４に記載の製造システム。
【請求項２６】
燃焼度演算手段は、サンプリングエリアにおける印刷層の燃焼度を演算するように構成され、
判定手段は、サンプリングエリアにおける印刷層の燃焼度に基づいて判定を行うように構成されている、
請求項１８ないし２５のいずれかに記載の製造システム。
【請求項２７】
さらに、印刷条件および印刷画像データに従い、燃焼度が最も高いサンプリングエリアにつき印刷層を形成するサンプル形成手段を含む、請求項２６に記載の製造システム。
【請求項２８】
燃焼度は、サンプリングエリアにおける塗料の適用量と対応している、請求項２６または２７に記載の製造システム。
【請求項２９】
燃焼度演算手段は、印刷画像データの全面でサンプリングエリアを順次移動させ、それぞれのサンプリングエリアの燃焼度を演算するように構成されている、請求項２６ないし２８のいずれかに記載の製造システム。
【請求項３０】
判定手段は、最も燃焼度の高いサンプリングエリアの燃焼度を基準値と比較することにより、積層シートが燃焼度基準を満たすか否かを判定するように構成されている、請求項２６ないし２９のいずれかに記載の製造システム。
【請求項３１】
判定手段は、サンプリングエリアの平均燃焼度を基準値と比較することにより、積層シートが燃焼度基準を満たすか否かを判定するように構成されている、請求項２６ないし２９のいずれかに記載の製造システム。
【請求項３２】
適用量は、塗料の重量、塗料の厚さ、塗料中の樹脂の重量の少なくともいずれかである、請求項２３、２４、２８のいずれかに記載の製造システム。
【請求項３３】
印刷層形成手段が、インクジェットプリンタを含む、請求項１８−３２のいずれかに記載の製造システム。
【請求項３４】
画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定することと、
積層シートの印刷層を形成するための画像データである印刷画像データを取得することと、
画像−燃焼度変換テーブルと印刷画像データとに基づいて、印刷層の燃焼度を演算することと、
演算された燃焼度に基づいて、積層シートが燃焼度基準を満たすか否かを判定することと、
燃焼度基準を満たすと判定された場合に、印刷条件および印刷画像データに従って印刷層を形成することと、をコンピュータに実行させるためのプログラム。
【請求項３５】
印刷層が基材シート上に形成され、
印刷条件には基材シート情報が含まれ、
基材シート情報に基づいて画像−燃焼度変換テーブルが特定され、
画像−燃焼度変換テーブルと印刷画像データとに基づいて、積層シートの燃焼度が演算され、
積層シートの燃焼度を基準値と比較することにより、積層シートが燃焼度基準を満たすか否かが判定される、請求項３４に記載のプログラム。
【請求項３６】
印刷層が基材シート上に形成され、
画像−燃焼度変換テーブルと印刷画像データとに基づいて、印刷層の燃焼度が演算され、
印刷層の燃焼度を、基材シートに応じて定められた基準値と比較することにより、積層シートが燃焼度基準を満たすか否かが判定される、請求項３４に記載の製造システム。
【請求項３７】
印刷層が基材シート上に形成され、
画像−燃焼度変換テーブルと印刷画像データと基材シートの燃焼度とに基づいて、積層シートの燃焼度が演算され、
積層シートの燃焼度を基準値と比較することにより、積層シートが燃焼度基準を満たすか否かが判定される、請求項３４に記載の製造システム。
【請求項３８】
印刷層が積層シートの表面に凹凸を形成するためのテクスチャ層を含み、
画像データがテクスチャ層を形成するためのデータを含む、
請求項３４ないし３７のいずれかに記載のプログラム。
【請求項３９】
画像−燃焼度変換テーブルは、印刷層を形成する塗料の種類毎に、画像データ上の濃度と、プリンタによる適用量とを関連付けたテーブルである、請求項３４ないし３８のいずれかに記載のプログラム。
【請求項４０】
画像−燃焼度変換テーブルは、印刷層を形成する塗料の種類毎に、画像データ上の１ピクセル単位の濃度と、プリンタによる１ピクセル単位の適用量とを関連付けたテーブルである、請求項３４ないし３８のいずれかに記載のプログラム。
【請求項４１】
画像データは、シアン、マゼンタ、イエロー、テクスチャの少なくとも４種類の濃度データを含み、
塗料は、シアン、マゼンタ、イエロー、テクスチャの少なくとも４種類を含む、請求項３９または４０に記載のプログラム。
【請求項４２】
燃焼度を演算することは、サンプリングエリアにおける印刷層の燃焼度を演算することであり、
判定は、サンプリングエリアにおける印刷層の燃焼度に基づいて行われる、
請求項３４ないし４１のいずれかに記載のプログラム。
【請求項４３】
さらに、コンピュータに、印刷条件および印刷画像データに従い、燃焼度が最も高いサンプリングエリアにつき印刷層を形成させることを含む、請求項４２に記載のプログラム。
【請求項４４】
燃焼度は、サンプリングエリアにおける塗料の適用量と対応している、請求項４２または４３に記載のプログラム。
【請求項４５】
コンピュータに、印刷画像データの全面でサンプリングエリアを順次移動させ、それぞれのサンプリングエリアの燃焼度を演算させる、請求項４２ないし４４のいずれかに記載のプログラム。
【請求項４６】
コンピュータに、最も燃焼度の高いサンプリングエリアの燃焼度を基準値と比較することにより、積層シートが燃焼度基準を満たすか否かを判定させる、請求項４２ないし４５のいずれかに記載のプログラム。
【請求項４７】
コンピュータに、サンプリングエリアの平均燃焼度を基準値と比較することにより、積層シートが燃焼度基準を満たすか否かを判定させる、請求項４２ないし４５のいずれかに記載のプログラム。
【請求項４８】
適用量は、塗料の重量、塗料の厚さ、塗料中の樹脂の重量の少なくともいずれかである、請求項３９、４０、４４のいずれかに記載のプログラム。
【請求項４９】
印刷条件および印刷画像データに従って印刷層を形成することを、インクジェットプリンタを用いて実行するための、請求項３４−４８の少なくともいずれかに記載のプログラム。
【請求項５０】
画像データに含まれる特定領域の濃度データと当該画像データに基づき印刷が行われた場合の当該特定領域に対応する印刷層の燃焼度とを関連付けるテーブルを画像−燃焼度変換テーブルとするとき、画像−燃焼度変換テーブルと印刷画像データとに基づいて演算された印刷層の燃焼度が、積層シートの燃焼度基準に係る基準を満たす、印刷層を有する積層シート。
【請求項５１】
印刷層が、テクスチャ層を有する、請求項５０の積層シート。
【請求項５２】
テクスチャ層が、ＵＶ硬化樹脂を有する、請求項５１の積層シート。
【請求項５３】
印刷層がインクジェットプリンタにより形成されている、請求項５０ないし５２のいずれかに記載の積層シート。
【請求項５４】
請求項１ないし１７のいずれかに記載の製造方法により製造された積層シート。
【発明の詳細な説明】
【背景技術】
【０００１】
特許文献１（国際公開第２００８／１２９６６７号）には、「印刷シートに設けた印刷層の表面に、透明な樹脂成分を主成分とする保護層が設けられてなる化粧シートにおいて、保護層が、印刷シートの印刷層上に設けられた第１保護層と、透明又は半透明の球状粒子を含有し第１保護層上の所定部分に設けられた第２保護層とからなり、第１保護層の突出した表面の艶が第２保護層表面の艶より低くなっていることを特徴とする化粧シート」が記載されている。
【先行技術文献】
【特許文献】
【０００２】
【特許文献１】国際公開第２００８／１２９６６７号
【発明の概要】
【０００３】
本開示の一実施態様にかかる、印刷層を有する積層シートの製造方法は、画像データに含まれる特定領域の濃度データと当該画像データに基づき印刷が行われた場合の当該特定領域に対応する印刷層の燃焼度とを関連付けるテーブルを画像−燃焼度変換テーブルとするとき、プロセッサが、積層シートの印刷条件に適合する画像−燃焼度変換テーブルを特定することと、プロセッサが、積層シートの印刷層を形成するための画像データである印刷画像データを取得することと、プロセッサが、画像−燃焼度変換テーブルと印刷画像データとに基づいて、印刷層の燃焼度を演算することと、プロセッサが、演算された燃焼度に基づいて、積層シートが燃焼度基準を満たすか否かを判定することと、燃焼度基準を満たすと判定された場合に、プロセッサの指令に基づいてプリンタが、印刷条件および印刷画像データに従って印刷層を形成することと、を含む。
【０００４】
本開示の実施態様は、印刷層を有する積層シートの製造システム、製造プログラム、印刷層を有する積層シート等を含む。
【図面の簡単な説明】
【０００５】
【図１】図１は、第１実施形態にかかる積層シート製造システムの概略構成の一例を示すブロック図である。
【図２】図２は、第１実施形態にかかる積層シート製造方法の概略の一例を示すフローチャートである。
【図３】図３は、第２実施形態にかかる積層シート製造システムの概略構成の一例を示すブロック図である。
【図４】図４は、第２実施形態における積層シートの断面の概略構成を示す断面図である。
【図５】図５は、第２実施形態にかかる積層シート製造方法の概略の一例を示すフローチャートである。
【図６Ａ】図６Ａは、第２実施形態における、印刷画像データとサンプリングエリアの関係を示す模式図である。
【図６Ｂ】図６Ｂは、第２実施形態における、サンプリングエリアを示す模式図である。
【図６Ｃ】図６Ｃは、第２実施形態における、サンプリングエリアを一部拡大した領域を示す模式図である。
【図７】図７は、第２実施形態における、図６Ｃの拡大画像に対応する各インクおよびテクスチャ材料の濃度マトリクスを示す模式図である。
【図８】図８は、第２実施形態における、画像−燃焼度変換テーブルを示す模式図である。
【図９】図９は、第２実施形態における、サンプリングエリアの燃焼度を求める式である。
【図１０】図１０は、第２実施形態における、判定結果付き印刷画像データの一例を示す概念図である。
【図１１】図１１は、第２実施形態における、燃焼度画像データの一部を拡大した燃焼度マトリクスの一例を示す概念図である。
【図１２】図１２は、第２実施形態における、燃焼度画像データの一例を示す概念図である。
【図１３】図１３は、第２実施形態における、高燃焼度部位画像データの一例を示す概念図である。
【図１４】図１４は、第２実施形態の第１変形例における、サンプリングエリアの燃焼度を求める式である。
【図１５】図１５は、第２実施形態の第２変形例にかかる積層シート製造方法の概略の一例を示すフローチャートである。
【図１６】図１６は、実験例で求められた画像−燃焼度変換テーブルを示す図である。
【図１７】図１７は、実験例で求められた画像−燃焼度変換テーブルを示す図である。
【図１８】図１８は、実験例２における印刷パターンを示す図である。
【図１９】図１９は、実験例４における印刷パターンを示す図である。
【発明を実施するための形態】
【０００６】
印刷層を有する積層シートは、例えば、建造物、車両などの内外装の装飾フィルムとして用いられている。積層シートの技術分野では、近年、印刷パターンの多様化、短納期化、小ロット化が求められている。発明者は、かかる要求にこたえるべく、デジタルプリンタを用いて積層シートの印刷層を形成する方法を鋭意検討した。その結果、以下の知見を得た。
【０００７】
装飾フィルムには、政府当局、団体等により、燃焼度基準が設定されている場合がある。従来、印刷パターンの数がそれほど多くない状況下では、パターン毎にサンプルを作成して、所定の燃焼試験等を行い、試行錯誤により燃焼度基準を満たす印刷パターンを設計する等していた。しかしながら、デジタルプリンタを用いて、多様な印刷パターンを、短納期かつ小ロットで生産しようとすると、より効率の良い方法で、燃焼度基準を満たす印刷パターンを設計することが望ましい。インクジェットプリンタを用いてテクスチャ層を形成すると、テクスチャ層の厚みを制御することで、表面に多様な凹凸形状を有する積層シートを簡便に形成することができる。その場合には特に、テクスチャ層の厚みが大きくなり、燃焼度基準を満たす印刷パターンの設計を支援する必要性が高まる。
【０００８】
発明者は、更なる検討を行った結果、従来にない画期的な驚くべき方法を開発した。すなわち、プリンタが印刷する画像データに含まれる濃度データと、積層シートに適用される塗料（インクおよびテクスチャ）の量（堆積量、適用量等）との間には、相関がある。該相関に基づいて、画像データから、完成した積層シートに含まれる塗料の量を演算により求めることができる。塗料の量と燃焼度との間にも、相関がある。よって、演算により得られた塗料の量に基づいて、完成した積層シートが一定の燃焼度基準を満たしているか否か、すなわち、当該画像データを用いて実際に積層シートを作成し、燃焼試験を行った場合に、当該積層シートは燃焼度基準を満たす、との結果が得られる蓋然性が高いか否か、を判定できる。
【０００９】
かかる方法によれば、現物のサンプルを作成することなく、また実際に燃焼試験を行うことなく、簡易に、燃焼度基準の充足性を判定できる。必要とされるサンプルの作成および燃焼試験等の回数を低減でき、より効率的に、燃焼度基準を満たす製品を製造することが可能となる。
【００１０】
かかる方法は、インクジェットプリンタを用いた積層シートの製造と整合性も高い。例えば、多様な凹凸形状を有するテクスチャ層をインクジェットプリンタで形成する場合でも、テクスチャ層を含めた印刷層の厚みを調整することで、燃焼度基準を満たしつつ、所望の凹凸パターンを有する印刷層の設計および製造を、より効率的に行うことが可能となる。
【００１１】
なお、以上は、あくまで本開示に至った経緯を説明するものであり、特許請求の範囲を限定するものではない。
【００１２】
「画像データ」とは、印刷層を形成するための、色情報とテクスチャ情報の少なくともいずれか一方を含むデータをいう。色情報は、平面視における積層シートの色彩（色相、彩度、及び明度）分布を特定するための情報でありうる。テクスチャ情報は、平面視における積層シートの厚み分布を特定するための情報でありうる。色情報とテクスチャ情報とは、濃度データとして含まれうる。画像サイズ、解像度、作成者、ライセンス条件などの情報も含まれうる。画像データは複数のデータファイルで構成されてもよいし、単一のデータファイルで構成されてもよい。例えば、色情報を保持するデータファイル（ＢＭＰファイル、ＪＰＥＧファイル等）と、テクスチャ情報を保持するデータファイル（ＢＭＰファイル、ＧＩＦファイル等）とで構成されてもよい。色情報は、例えば、ＲＧＢ情報であってもよいし、ＣＭＹ情報であってもよいし、ＣＭＹＫ情報であってもよい。
【００１３】
「濃度データ」は、色情報については、色相、彩度、明度に関連する情報を含むことができ、テクスチャ情報については、テクスチャ層の厚みに関連する情報を含むことができる。濃度データは、画像に含まれる単位領域（例：ピクセル）毎に特定されうる。色情報とテクスチャ情報とで解像度が異なっていてもよい。同一性のある特定領域および印刷領域について演算および判定を行うべく、領域の境界線と重複するピクセルについては、境界線によって切り分けられるピクセルの面積に応じて、適用量および燃焼度等が補正されてもよい。
【００１４】
「特定領域の濃度データ」とは、特定領域に含まれるすべての濃度データをいう。特定領域の濃度データは、特定領域に含まれるすべての単位領域（例：ピクセル）の濃度データを含んでもよい。特定領域とは、単一ピクセルからなる領域であってもよいし、矩形領域を構成するＭ×Ｎ個のピクセルからなる領域であってもよい。画像データが圧縮されている場合には、圧縮単位の濃度データであってもよい。複数ピクセルからなる領域を特定領域とする場合、例えば、当該複数ピクセルの濃度データを合計した値を当該特定領域の濃度データとし、該濃度データと当該特定領域に対応する印刷層の燃焼度（例：塗料の適用量）とを関連付けることで、画像−燃焼度変換テーブルを構成することができる。
【００１５】
「印刷層」とは、プリンタにより形成される層をいう。印刷層は、インク層とテクスチャ層の少なくともいずれか一方を含みうる。印刷層は、インク層とテクスチャ層の両方を含んでもよい。インク層は、濃淡を含む色彩上の効果をもたらす層である。テクスチャ層は、凹凸などの表面形状を形成する層である。ただし、両者は必ずしも排他的ではなく、インク層が表面の凹凸に寄与する場合もあるし、テクスチャ層が濃淡を含む色彩上の効果に寄与する場合もある。インク層は、画像データ中の色情報にかかる濃度データに基づいて形成されうる。テクスチャ層は、画像データ中のテクスチャ情報にかかる濃度データに基づいて形成されうる。テクスチャ層は、透明であってもよいし、透光性であってもよいし、色彩を有してもよい。印刷層は、種類の異なる複数の塗料からなっていてもよい。
【００１６】
「特定領域に対応する印刷層」とは、印刷層のうち、平面視において、画像データに含まれる特定領域と視覚的に対応ないし一致する部分をいう。
【００１７】
「燃焼度」とは、燃えやすさの程度を示す変数をいう。燃焼度は、種類の異なる塗料が燃えやすさに与える影響を共通に評価できる変数でありうる。燃焼度は、印刷層とベース層（積層シートのうち、印刷層以外の部分全体）ないし追加層（ベース層を構成するそれぞれの層：基材シート、接着剤層等）とが燃えやすさに与える影響を共通に評価できる変数であってもよい。具体的には例えば、燃焼度は、印刷層を構成する塗料の単位面積当たりの合計適用量であってもよいし、積層シートの単位面積当たりの合計重量であってもよいし、印刷層ないし積層シートの厚みであってもよいし、積層シートに含まれる単位面積当たりの塗料ないし可燃性成分（樹脂）の合計重量、合計高さ、放熱率または総放熱量であってもよい。それぞれの塗料およびシート材料の重量に、燃えやすさを評価するための係数（ファクター）を乗じて、合計された値であってもよい。
【００１８】
燃焼度は、単一の変数であってもよいし、複数の変数であってもよい。燃焼度が複数の変数の組み合わせである場合において、各変数は、使用される全種類のインク（Ｃ、Ｍ、Ｙ、Ｋ等）の量を反映したものであってもよいし、使用される全種類の塗料（Ｃ、Ｍ、Ｙ、Ｋ、テクスチャ等）の量を反映したものであってもよい。インク層が積層シートの燃焼度に与える影響が無視できる場合等において、テクスチャ層の燃焼度のみが演算されてもよい。
【００１９】
「変換テーブル」とは、２つ以上の変数を互いに関連付けるための規則をいう。テーブルは、例えば、メモリ上のデータテーブルであってもよいし、２つ以上の変数の関係を特定する関数であってもよい。
【００２０】
「画像−燃焼度変換テーブル」とは、画像データに含まれる特定領域の濃度データと当該画像データに基づき印刷が行われた場合の当該特定領域に対応する印刷層の燃焼度とを関連付ける変換テーブルをいう。濃度データと燃焼度との関連付けは、実験により経験的に求められてもよいし、プリンタの設計データから演繹的に求められてもよい。該関連付けは、プリンタメーカーから提供されてもよい。
【００２１】
「積層シート」とは、一層以上の層を含むシートをいい、少なくとも、印刷層と基材シートとを含み、さらに、接着剤層やその他の層を含んでもよい。一般に、装飾用シートも積層シートである。積層シートは、建造物、車両などの内外装の加飾に用いられうる。積層シートは、シートが適用された場合に、適用面上に残留する層の部分でありうる。すなわち、シートが剥離シートから剥離されて適用する場合には、積層シートは剥離シートを含まない物品と考えることができる。あるいは、積層シートの燃焼度基準が、シートが適用される部材（例えば、プラスタボード）を含めた基準になっている場合に、積層シートは該部材を含めた物品と考えることもできる。
【００２２】
「積層シートの印刷条件」は、画像データに基づいてプリンタにより形成される印刷層あるいは該印刷層を含む積層シートの燃焼度を特定するために必要な情報のうち、濃度データ以外のものとすることができる。印刷に関する情報（解像度、印刷領域の大きさ、重ね印刷回数等）、プリンタに関する情報（メーカー、種類、形式、型番等）、塗料に関する情報（メーカー、型番、組成、成分、可燃性成分量、単位当たりの燃焼度等）、基材シートに関する情報（メーカー、型番、組成、成分、可燃性成分量、単位当たりの燃焼度等）、基材シートに適用されている、あるいは基材シートに適用される、接着剤層に関する情報（メーカー、型番、組成、成分、可燃性成分量、単位当たりの燃焼度等）等が含まれうる。印刷条件は、印刷画像データに含まれていてもよいし、印刷画像データとは別に提供されてもよい。印刷条件の一部が印刷画像データに含まれ、かつ、残部が印刷画像データとは別に提供されてもよい。印刷条件に含まれる変数と画像−燃焼度変換テーブルに含まれる変数とは少なくとも一部重複しうる。
【００２３】
「印刷画像データ」とは、積層シートの印刷層を形成するための画像データをいう。印刷画像データは、典型的には２００ｍｍ×２００ｍｍ以上、例えば１２００ｍｍ×１０００ｍｍ程度の矩形であり、サンプリングエリアよりも大きいが、これに限定されるものではない。印刷画像データは、繰り返し印刷した場合における継ぎ目が目立たないような処理がされていてもよい。印刷画像データの解像度は、典型的には７２０ｄｐｉ程度とすることができる。
【００２４】
「印刷層の燃焼度を演算する」とは、印刷層単体の燃焼度が演算される場合のみならず、印刷層およびベース層（積層シートのうち、印刷層以外の部分全体）の合計燃焼度あるいは印刷層および追加層の合計燃焼度が演算される場合を含む。かかる場合でも、演算される燃焼度には印刷層単体の燃焼度が含まれている。印刷層の燃焼度には、少なくとも印刷層単体の燃焼度が含まれる。
【００２５】
「燃焼度基準」とは、積層シートについて定められる、燃えやすさの程度に関する基準をいう。具体的には例えば、放熱率、総放熱、燃焼速度、燃焼時間、燃焼温度からなる群より選択された１または２以上の変数の基準値（上限値、下限値、平均値、標準偏差等）の組み合わせを用いて設定されうる。燃焼度基準を規定する変数（例：物理量）と、本開示において演算される燃焼度としての変数（例：物理量）とは、同一であってもよいが、必ずしも同一でなくてもよい。すなわち、演算される燃焼度は、該燃焼度の基準値と対比されることで、間接的に、燃焼度基準を満たすか否かの判定が行われてもよい。
【００２６】
燃焼度基準は、単一の要素（例えば、総放熱量）にかかる基準であってもよいし、複数の要素（例えば、総放熱量および放熱率）にかかる基準であってもよい。燃焼度として演算される変数の個数と、燃焼度基準を規定する要素の個数とは、同じであってもよいし、異なっていてもよい。
【００２７】
「塗料」とは、印刷層を形成する材料をいう。塗料は、具体的には例えば、インクおよびテクスチャ材料を含みうる。塗料は、インクジェットプリンタの噴射液でありうる。塗料は、ＵＶ硬化性の樹脂を含有する塗料であってもよい。
【００２８】
「適用量」とは、プリンタが印刷層を形成する際に適用される塗料の量をいう。適用量は、噴射量ないし堆積量でありうるが、必ずしも特定の物理量である必要はない。適用量は、具体的には例えば、基材シート上に形成される印刷層に含まれる塗料の量であってもよい。適用量は、印刷層の燃焼度と一意の関係にあってもよく、印刷層の燃焼度と比例関係にあってもよい。適用量は、適用された塗料の合計重量であってもよいし、適用された塗料の合計体積であってもよいし、適用された塗料の総放熱量であってもよいし、適用された塗料の合計高さ（厚さ）であってもよい。塗料に含まれる可燃性成分（樹脂）の合計重量であってもよいし、塗料に含まれる可燃性成分の合計体積であってもよいし、塗料に含まれる可燃性成分の総放熱量であってもよい。
【００２９】
「サンプリングエリア」は、印刷画像データのサンプリングエリアおよびこれに対応する領域に含まれる印刷層ないし積層シートでありうる。積層シートにおけるサンプリングエリアの形状および大きさは、積層シートの燃焼度基準において燃焼試験が行われる場合の、試料の形状および大きさと一致してもよい。サンプリングエリアは印刷画像データと同じかそれよりも小さい。サンプリングエリアは、ピクセル単位で定義されてもよいし、実際の長さ（メートル、センチメートル、ミリメートル等）単位で定義されてもよい。
【００３０】
「基材シート情報」とは、基材シートの燃焼度を特定するための情報をいう。基材シート情報は、基材シートの燃焼度であってもよいし、個々の種類の基材シート（燃焼度に影響する仕様が同一である一群の基材シート）と一義的に対応付けられたＩＤ番号等であってもよい。ＩＤ番号と基材シートの燃焼度とを対応付けるテーブルを用いて、基材シートの燃焼度を演算、判定等に組み込むことができる。基材シート情報は、ベース層情報であってもよいし、追加層情報であってもよい。
【００３１】
以下、本開示の具体的な実施形態について、添付の図面を参照しつつ、例示する。なお、下記の実施形態に関する記載は、本開示を限定するものではない。
【００３２】
（第１実施形態）
図１は、第１実施形態にかかる積層シート製造システムの概略構成の一例を示すブロック図である。
【００３３】
積層シート製造システム１００は、演算処理部１０と、記憶部２０とを備えたコンピュータ５０と、プリンタ３０とを備えている。
【００３４】
演算処理部１０はプロセッサに相当する。演算処理部１０としては、ＣＰＵ、ＭＰＵ等が例示される。演算処理部１０は、集中制御を行う単独の処理部として構成されていてもよいし、互いに協働して分散制御を行う複数の処理部として構成されていてもよい。
【００３５】
記憶部２０は、演算処理部１０を通信可能に接続されており、演算処理部１０が読み出して実行する制御プログラム、積層シートの印刷条件、画像−燃焼度変換テーブル、印刷画像データ、燃焼度の基準値、演算された燃焼度、判定結果等を格納しうる。記憶部２０としては、メインメモリ、キャッシュメモリ、ＲＡＭ、ＲＯＭ、ハードディスク、内部記憶装置、外部記憶装置等の記憶装置が例示される。記憶部２０は、記憶する種々のデータについて共通に設けられていてもよいし、各データについて別個に記憶装置が設けられていてもよい。
【００３６】
プリンタ３０は、演算処理部１０を通信可能に接続されており、演算処理部１０の制御により、印刷条件および印刷画像データに従って印刷層を形成する。プリンタ３０は、特に限定されないが、例えば、インクジェットプリンタ、より具体的にはＵＶ硬化型インクを用いて印刷することが可能なインクジェットプリンタとすることができる。該インクジェットプリンタは、ＵＶ硬化用光源を備えうる。インクジェットプリンタは、印刷画像データを基材シート上に印刷して積層シートを製造する一般的な手法として用いることができ、本システムのプリンタとしての整合性が良い。
【００３７】
代表的なデジタル印刷のひとつとしてインクジェット印刷があげられる。インクジェット印刷では、オンデマンド印刷や、少量多品種の印刷が可能である。また、紫外線硬化型インクを用いる場合は、比較的厚みのある印刷層を得ることや三次元的形状の様々な印刷パターンを形成することも可能である。本開示の積層シートの製造方法は、少量多品種印刷の際や燃焼性に影響を与える厚みのある印刷パターンを形成する際にも、個々の印刷ごとに、燃焼度基準を満たす積層シートを提供することができ、インクジェット印刷を行う場合に極めて有益である。
【００３８】
図２は、第１実施形態にかかる積層シート製造方法の概略の一例を示すフローチャートである。該方法は、積層シート製造システム１００の動作方法であり、コンピュータ５０が、記憶部２０に記憶されたプログラムを演算処理部１０により実行させることにより実現される。
【００３９】
積層シート製造システム１００の動作が開始されると（スタート）、積層シートの印刷条件に適合する画像−燃焼度変換テーブルが特定される（ステップＳ１０１）。印刷条件は、インターネット、イントラネット、無線ＬＡＮ、有線ＬＡＮ等のネットワーク（以下、「ネットワーク」）、ＣＤおよびＤＶＤ等の光ディスク、ＵＳＢメモリ等の外部記録メディア（以下、「記録メディア」）を含むシステム外部から、通信装置、メディア読出装置等により取得されてもよいし、記憶部２０に予め記録されていてもよいし、一部が記憶部２０に予め記録されており、残部がシステム外部から取得されてもよい。
【００４０】
特定は、例えば、テーブルが一つしかない場合には、該テーブルが格納された場所を特定すること、該テーブルが印刷条件に適合しているか否かを確認すること等であってもよく、テーブルが複数ある場合には、印刷条件に適合しているテーブルを選択することであってもよい。特定することは、選択すること、準備すること、用意すること、作成することを含みうる。
【００４１】
積層シートの印刷条件が予め固定されており、画像−燃焼度変換テーブルが一つしかない場合には、記憶部２０に記録されている画像−燃焼度変換テーブルが特定されてもよい。積層シートの印刷条件が外部から与えられる場合において、該印刷条件に適合する画像−燃焼度変換テーブルが、複数のテーブルの中から１つが選択されてもよい。画像−燃焼度変換テーブルは、ネットワーク、記録メディアを含むシステム外部から、通信装置、メディア読出装置等により取得されてもよいし、あらかじめ記憶部２０に記録されていてもよい。
【００４２】
次に、積層シートの印刷層を形成するための画像データである印刷画像データが取得される（ステップＳ１０２）。印刷画像データは、ネットワーク、記録メディアを含むシステム外部から、通信装置、メディア読出装置等により取得されてもよいし、予め記憶部２０に記録されていてもよい。印刷条件の一部または全部が印刷画像データに含まれる場合等において、印刷画像データの取得が、画像−燃焼度変換テーブルの特定に先立って行われてもよい。
【００４３】
次に、画像−燃焼度変換テーブルと印刷画像データとに基づいて、印刷層の燃焼度が演算される（ステップＳ１０３）。印刷層の燃焼度には、少なくとも印刷層単体の燃焼度が含まれる。「印刷層の燃焼度を演算する」とは、印刷層単体の燃焼度が演算される場合のみならず、印刷層およびベース層の合計燃焼度あるいは印刷層および追加層の合計燃焼度が演算される場合を含む。かかる場合でも、演算される燃焼度には印刷層単体の燃焼度が含まれている。
【００４４】
燃焼度の演算は、さらに、積層シートの印刷条件に基づいてもよい。例えば、印刷条件として重ね印刷の回数が含まれている場合には、画像−燃焼度変換テーブルと印刷画像データとに基づいて得られた燃焼度に、該重ね印刷の回数が掛け合わされてもよい。あるいは、重ね印刷の回数は、画像−燃焼度変換テーブルに反映されていてもよい。この場合、重ね印刷の回数に応じて演算される燃焼度が増減するように、画像−燃焼度変換テーブルが作成されうる。
【００４５】
このように、印刷条件は、画像−燃焼度変換テーブルの特定に反映されてもよいし、燃焼度の演算時に反映されてもよいし、両者に反映されてもよい。
【００４６】
例えば、印刷条件にベース層の燃焼度を特定するためのベース層情報が含まれてもよい。ベース層情報はベース層の燃焼度であってもよいし、ベース層の燃焼度と一義的に対応付けられたＩＤ番号等であってもよい。ＩＤ番号とベース層の燃焼度とを対応付けるテーブルを用いて、基材シートの燃焼度を演算、判定等に組み込むことができる。ベース層の燃焼度は、画像−燃焼度変換テーブルに組み込まれていてもよい。この場合、印刷条件に応じて特定されたテーブルを用いて演算される燃焼度は、印刷層単体の燃焼度とベース層の燃焼度の合計値となり、これが印刷層の燃焼度とされてもよい。あるいはベース層の燃焼度が、テーブルを用いて演算された印刷層単体の燃焼度と合算され、これが印刷層の燃焼度とされてもよい。演算された印刷層の燃焼度は、印刷層の燃焼度の基準値（印刷層および追加層の合計燃焼度の基準値）と比較されうる。あるいはベース層の燃焼度が、積層シートの燃焼度の基準値から差し引かれて、印刷層単体の燃焼度の基準値が演算されてもよい。この場合、テーブルを用いて演算された印刷層単体の燃焼度が、印刷層単体の燃焼度の基準値と比較されうる。
【００４７】
印刷条件に追加層（基材シート、接着剤層等）の燃焼度を特定するための追加層情報が含まれてもよい。追加層情報は追加層の燃焼度であってもよいし、追加層の燃焼度と一義的に対応付けられたＩＤ番号等であってもよい。ＩＤ番号と追加層の燃焼度とを対応付けるテーブルを用いて、基材シートの燃焼度を演算、判定等に組み込むことができる。追加層の燃焼度は、画像−燃焼度変換テーブルに組み込まれていてもよい。この場合、印刷条件に応じて特定されたテーブルを用いて演算される燃焼度は、印刷層単体の燃焼度と追加層の燃焼度の合計値となり、これが印刷層の燃焼度とされてもよい。あるいは追加層の燃焼度が、テーブルを用いて演算された印刷層単体の燃焼度と合算され、これが印刷層の燃焼度とされてもよい。演算された印刷層の燃焼度は、印刷層の燃焼度の基準値（印刷層および追加層の合計燃焼度の基準値）と比較されうる。あるいは追加層の燃焼度が、積層シートの燃焼度の基準値から差し引かれて、印刷層単体の燃焼度の基準値が演算されてもよい。この場合、テーブルを用いて演算された印刷層の燃焼度が、印刷層単体の燃焼度の基準値と比較されうる。
【００４８】
燃焼度は、単一の変数であってもよいし、複数の変数であってもよい。燃焼度基準は、単一の要素（例えば、総放熱量）にかかる基準であってもよいし、複数の要素（例えば、総放熱量および放熱率）にかかる基準であってもよい。燃焼度にかかる変数の個数と、燃焼度基準にかかる要素の個数とは、同じであってもよいし、異なっていてもよい。
【００４９】
次に、演算された燃焼度に基づいて、積層シートが燃焼度基準を満たすか否かが判定される（ステップＳ１０４）。
【００５０】
演算と判定の順序は特に限定されない。例えば、印刷画像データの全体（例：全ピクセル）について、例えばピクセル毎に燃焼度の演算が行われ、その後に判定が行われてもよい。あるいは、印刷画像データのうち特定のサンプリングエリアについて燃焼度の演算および基準値との比較が行われ、その後に次のサンプリングエリアについて燃焼度の演算および基準値との比較が行われるというように、「燃焼度の演算」および「基準値との比較」が交互に行われてもよい。サンプリングエリアを用いた判定は必須ではない。印刷画像データの全部について演算された燃焼度を基準値と比較することで判定が行われてもよい。印刷画像データの全体にわたって燃焼度の演算が行われる必要は必ずしもなく、適切な判定が行われうる限り、印刷画像データの一部についてのみ燃焼度の演算が行われてもよい。
【００５１】
燃焼度基準を満たすか否かの判定は、演算された燃焼度と、燃焼度基準に応じて定められた基準値とを、直接的および／または間接的に比較することで実行されうる。積層シートの燃焼度が演算され、かつ、燃焼度を示す物理量ないし単位と燃焼度基準における基準値を示す物理量ないし単位とが同一である場合には、燃焼度と基準値とが直接比較されてもよい。例えば、演算される燃焼度が積層シートの厚みであり、積層シートの燃焼度基準の基準値も厚みである場合には、直接比較が行われうる。
【００５２】
燃焼度を表す物理量ないし単位と燃焼度基準における基準値を表す物理量ないし単位とが同一でない場合には、演算された燃焼度および燃焼度基準の基準値の少なくともいずれか一方が、両者が比較できるように変換されてもよい。例えば、演算される燃焼度が塗料の重量であり、燃焼度基準の基準値が総放熱量である場合に、（１）塗料の成分、基材シートの材料等を考慮して塗料の重量が総放熱量に換算され（ベース層、追加層等の放熱量は、塗料の放熱量に加算されうる）、換算された総放熱量が燃焼度基準の基準値と比較されてもよいし、（２）塗料の成分、基材シートの材料等を考慮して積層シートの燃焼度基準における基準値（総放熱量）が、許容可能な塗料の重量の基準値に換算され（ベース層、追加層等の放熱量は、積層シートの総放熱量から差し引かれうる）、演算された燃焼度と塗料の重量の基準値とが比較されてもよい。なお、燃焼度および基準値は必ずしも具体的な物理量である必要はなく、単位が特定される必要もない。演算された燃焼度に基づいて、積層シートの燃焼度基準が満たされるか否かの判定ができるものであれば、さまざまな演算ないし判定の手法を採用できる。
【００５３】
積層シートの燃焼度基準が満たされるような、印刷層の燃焼度の上限値が、実験等によりあらかじめ求められていてもよい。例えば、基材シート（および接着剤層）の燃焼度が無視できない場合には、上限値は基材シートの種類毎に異なっていてもよい。かかる上限値は、燃焼度基準における基準値を変換したものと考えることができる。あるいは逆に、テーブルを用いた演算結果を燃焼度基準の単位系に換算するための関数が、実験等によりあらかじめ求められていてもよい。この場合には、テーブルを用いて演算された結果が該関数を用いてさらに変換され、燃焼度基準における基準値と比較されうる。
【００５４】
判定結果は、ネットワーク、記録メディアを含むシステム外部へと、通信装置、メディア書込装置等により出力されてもよいし、プリンタ、ディスプレイ等の表示装置により表示されてもよいし、記憶部２０に記録されてもよい。
【００５５】
なお、ステップＳ１０４でいう判定とは、燃焼試験を現実に行うことなく、演算された燃焼度に基づいて行われる、計算機上での判定、簡易判定、シミュレーションによる判定をいう。ステップＳ１０４で、積層シートが燃焼度基準を満たすと判定された場合には、当該印刷条件と当該印刷画像データとに従って積層シートが製造された場合に、製造された積層シートについて燃焼試験を行えば、燃焼度基準を満たすとの結果が得られる蓋然性が高い。蓋然性が高いとは、例えば確率として、８０％以上、８５％以上、９０％以上、９５％以上、９９％以上、９９．９％以上であることとしうる。
【００５６】
次に、燃焼度基準を満たすと判定された場合には、演算処理部１０の指令に基づいてプリンタ３０が、印刷条件および印刷画像データに従って印刷層を形成し（ステップＳ１０５）、積層シート製造システム１００の動作が終了する（エンド）。
【００５７】
「燃焼度基準を満たすと判定された場合に」とは、「燃焼度基準を満たすと判定された場合にのみ」であってもよい。燃焼度基準を満たすと判定されなかった場合には、基準非充足処理が行われてもよい。基準非充足処理として、例えば、以下、Ａ）ないしＥ）のいずれかが実行されてもよい。
Ａ）プロセッサが、印刷画像データに判定結果を付加した判定結果付き印刷画像データを生成して出力する。
Ｂ）プロセッサが、印刷画像データにおける燃焼度の高低を示す燃焼度画像データを生成して出力する。
Ｃ）プロセッサが、印刷画像データにおいてサンプリングエリア単位の燃焼度基準を満たさないサンプリングエリアをマーキングした高燃焼度部位画像データを生成して出力する。
Ｄ）積層シートが燃焼度基準を満たすと判定された場合に、プロセッサの指令に基づいてプリンタが、印刷条件および印刷画像データに従い、印刷画像データにおいて燃焼度が最も高いサンプリングエリアにつき印刷層を形成する。
Ｅ）警告信号を出力する。
【００５８】
判定結果付き印刷画像データ、燃焼度画像データ、および高燃焼度部位画像データは、基準非充足処理用画像データの例である。すなわち、基準非充足処理として、プロセッサが、基準非充足処理用画像データを生成して出力することができる。
【００５９】
なお、ステップＳ１０４およびステップＳ１０５は必須ではない。ステップＳ１０５が省略されて、判定方法、判定装置、判定プログラム等として実行されてもよい。ステップＳ１０５およびステップＳ１０４が省略されて、演算方法、演算装置、演算プログラム等として実行されてもよい。
【００６０】
（第２実施形態）
図３は、第２実施形態にかかる積層シート製造システムの概略構成の一例を示すブロック図である。
【００６１】
積層シート製造システム２００は、ＣＰＵ１１０と、記憶装置１２０と、入出力装置１４０とを備えたコンピュータ１５０と、プリンタ１３０と、ディスプレイ１６０とを備えている。
【００６２】
ＣＰＵ１１０は、演算処理部１０と同様の構成とすることができる。記憶装置１２０は、記憶部２０と同様の構成とすることができる。プリンタ１３０はプリンタ３０と同様の構成とすることができる。ディスプレイ１６０は、ＣＰＵ１１０と通信可能に接続されている。ディスプレイ１６０として、ＣＲＴ、液晶ディスプレイ、ＯＬＥＤディスプレイ等を用いることができる。
【００６３】
図４は、第２実施形態における積層シートの断面の概略構成を示す断面図である。図４に示すように、積層シート１は、基材シート２の第１主面上にインク層３（意匠層）が配置され、インク層３の上にテクスチャ層４（表面層）が配置され、基材シート２の第２主面上に接着剤層５が配置されている。
【００６４】
基材シート２としては、ポリ塩化ビニル、ポリウレタン、ポリエチレン、ポリプロピレン、塩化ビニル−酢酸ビニル樹脂、アクリル樹脂、セルロース樹脂、及びフッ素樹脂からなる群より選択される少なくとも１種の樹脂層を用いることができる。
【００６５】
基材シート２は、有色であってもよく無色であってもよい。基材シート２は、不透明、半透明又は透明であってよい。基材シート２は、略平滑な表面を有してもよく、エンボスなどの表面加工により形成することのできる構造化表面を有してもよい。基材シート２の外観又は形状を上記のとおりとすることで、多様な装飾性を基材シート２に付与することができる。
【００６６】
一実施態様では、基材シート２は透明ポリ塩化ビニル樹脂層と、有色ポリ塩化ビニル樹脂層とを含む。この実施態様の基材シートでは、透明ポリ塩化ビニル樹脂層により有色ポリ塩化ビニル樹脂層が支持又は保護されて、伸長可能フィルムの装飾性に耐久性を付与することができる。この実施態様の伸長可能フィルムは、例えば建造物又は車両の内装材又は外装材に貼り付ける用途に好適に使用することができる。
【００６７】
基材シート２の厚みは、例えば約２５μｍ以上、約５０μｍ以上、又は約８０μｍ以上、約５ｍｍ以下、約１ｍｍ以下、又は約０．５ｍｍ以下とすることができる。
【００６８】
いくつかの実施態様において、基材シート２の引張伸長率は、約１０％以上、約２０％以上、又は約３０％以上、約４００％以下、約３５０％以下、又は約３００％以下である。基材シート２の引張伸長率は、幅２５ｍｍ、長さ１５０ｍｍのサンプルを用意し、引張試験機を用いて、温度２０℃、引張速度３００ｍｍ／分、チャック間隔１００ｍｍでサンプルを破断するまで伸長したときの、［破断時のチャック間隔（ｍｍ）−伸長前のチャック間隔（ｍｍ）（＝１００ｍｍ）］／伸長前のチャック間隔（ｍｍ）（＝１００ｍｍ）×１００（％）で計算される値である。
【００６９】
インク層３として、塗装色、金属色などを呈するカラー層、木目、石目などの模様や、ロゴ、絵柄などを構造体に付与するパターン層などが挙げられる。インク層３は、ＵＶ硬化インクで構成されてもよい。例えば、酸化チタン、カーボンブラック、黄鉛、黄色酸化鉄、ベンガラ、赤色酸化鉄などの無機顔料、フタロシアニンブルー、フタロシアニングリーンなどのフタロシアニン系顔料、アゾレーキ系顔料、インジゴ系顔料、ペリノン系顔料、ペリレン系顔料、キノフタロン系顔料、ジオキサジン系顔料、キナクリドンレッドなどのキナクリドン系顔料などの有機顔料、アルミニウムフレーク、蒸着アルミニウムフレーク、金属酸化物被覆アルミニウムフレーク、着色アルミニウムフレークなどのアルミ光輝材、フレーク状の、酸化チタン、酸化鉄などの金属酸化物で被覆されたマイカおよび合成マイカなどのパール光輝材などの顔料がバインダー樹脂に分散されたものを使用することができる。インク層３の厚さは様々であってよく、一般に、約５μｍ以上、約１０μｍ以上、または約２０μｍ以上、約３００μｍ以下、約２００μｍ以下、または約１００μｍ以下とすることができる。
【００７０】
テクスチャ層４はＵＶ硬化樹脂で構成されてもよい。テクスチャ層４として、様々な樹脂、例えば、ポリメチルメタクリレート（ＰＭＭＡ）を含むアクリル樹脂、ポリウレタン、エチレン／テトラフルオロエチレン共重合体（ＥＴＦＥ）、ポリフッ化ビニリデン（ＰＶＤＦ）、メチルメタクリレート／フッ化ビニリデン共重合体（ＰＭＭＡ／ＰＶＤＦ）などのフッ素樹脂、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、エチレン／アクリル酸共重合体（ＥＡＡ）およびそのアイオノマー、エチレン／アクリル酸エチル共重合体、エチレン／酢酸ビニル共重合体などの共重合体が使用できる。耐候性の観点から、アクリル樹脂、ポリウレタン、フッ素樹脂およびポリ塩化ビニルが用いられてもよい。耐擦傷性および廃棄物として焼却したり埋め立てたりする際の環境負荷の小ささの観点から、アクリル樹脂およびポリウレタンが用いられてもよい。
【００７１】
テクスチャ層４は、インク層３などの上に樹脂組成物を印刷によりコーティングして形成することができる。テクスチャ層４の厚さは様々であってよいが、一般に、約１μｍ以上、約５μｍ以上、または約１０μｍ以上、約１００μｍ以上、約４００μｍ以下、１００μｍ以下、約８０μｍ以下、または約５０μｍ以下である。テクスチャ層の厚みは、５μｍ以上４００μｍ以下、１０μｍ以上２００μｍ以下、２０μｍ以上１００μｍ以下等とすることができる。複雑な形状の基材に対して印刷層を適用する場合、テクスチャ層４は薄い方が形状追従性の観点から有利であり、例えば、約８０μｍ以下、または約５０μｍ以下であってもよい。一方、構造体に高い耐光性および／または耐候性を付与する場合、テクスチャ層４は厚い方が有利であり、例えば約５μｍ以上、または約１０μｍ以上であってもよい。
【００７２】
テクスチャ層４が凹凸パターンを有していてもよい。凹凸のスケールとしては、凹凸の頂の上と谷の底との高低差が１μｍ以上、５μｍ以上、１０μｍ以上、２０μｍ以上、５０μｍ以上、１００μｍ以上、２００μｍ以上、であってもよいし、５００μｍ以下、４００μｍ以下、３００μｍ以下、２００μｍ以下、１００μｍ以下、５０μｍ以下、２０μｍ以下、１０μｍ以下であってもよい。凹凸の頂の上と谷の底との高低差は、５μｍ以上４００μｍ以下、１０μｍ以上２００μｍ以下、２０μｍ以上１００μｍ以下等とすることができる。
【００７３】
テクスチャ層４は、必要に応じて、ベンゾトリアゾール、Ｔｉｎｕｖｉｎ１１３０（ＢＡＳＦ社製）などの紫外線吸収剤、Ｔｉｎｕｖｉｎ２９２（ＢＡＳＦ社製）などのヒンダードアミン光安定化剤（ＨＡＬＳ）などを含んでもよい。紫外線吸収剤、ヒンダードアミン光安定化剤などを用いることによって、装飾積層シートが意匠層などに含まれる着色材の、特に紫外線などの光に対する感受性が比較的高い有機顔料の、変色、退色、劣化などを有効に防止することができる。テクスチャ層４はハードコート材、光沢付与剤などを含んでもよく、追加のハードコート層を有してもよい。テクスチャ層４は、目的とする外観を提供するために、透明であってもよく、半透明または不透明であってもよい。
【００７４】
接着剤層５として、一般に使用されるアクリル系、ポリオレフィン系、ポリウレタン系、ポリエステル系、ゴム系などの、溶剤型、エマルジョン型、感圧型、感熱型、熱硬化型又は紫外線硬化型の接着剤を使用することができる。接着剤層の厚さは、一般に、約５μｍ以上、約１０μｍ以上、又は約２０μｍ以上、約１００μｍ以下、約８０μｍ以下、又は約５０μｍ以下とすることができる。接着剤層５として、不燃材、難燃材等も使用されうる。接着剤層５の構成は、印刷条件を通じて、印刷層の燃焼度の演算ないし燃焼度基準を満たすか否かの判定に反映されうる。
【００７５】
接着剤層５の表面にライナーが付与されていてもよい。ライナーとして、例えば、紙；ポリエチレン、ポリプロピレン、ポリエステル、酢酸セルロースなどのプラスチック材料；このようなプラスチック材料で被覆された紙などを挙げることができる。これらのライナーは、シリコーンなどにより剥離処理した表面を有してもよい。ライナーの厚さは、一般に、約５μｍ以上、約１５μｍ以上又は約２５μｍ以上、約５００μｍ以下、約３００μｍ以下又は約２５０μｍ以下である。
【００７６】
本開示の積層シートの用途は特に限定されない。例えば、本開示の積層シートは、ビル、マンション、住宅等の建造物の壁、階段、天井、柱、仕切り等の内装材、又は外壁等の外装材として使用できる。また、鉄道車両、船舶、飛行機、二輪、四輪を含む自動車等の各種交通車両の内装又は外装として使用できる。さらに、道路標識、看板、家具、電化製品等あらゆる物品の表装材として使用することも可能である。
【００７７】
図５は、第２実施形態にかかる積層シート製造方法の概略の一例を示すフローチャートである。該方法は、積層シート製造システム２００の動作方法であり、コンピュータ１５０が、記憶部１２０に記憶されたプログラム１２２をＣＰＵ１１０により実行させることにより実現される。
【００７８】
積層シート製造システム２００の動作が開始されると（スタート）、積層シート基本情報１４２が取得される（ステップＳ２０１）。積層シート基本情報１４２は、印刷条件のうち積層シートの印刷層以外にかかる部分の情報であり、基材シートの単位面積当たり燃焼度、接着剤層の単位面積当たり燃焼度等を含みうる。積層シート基本情報１４２は、ネットワーク、記録メディアを含むシステム外部から、通信装置、メディア読出装置等を介して入出力装置１４０へと入力され、積層シート基本情報１３２として記憶装置１２０に記憶されている。
【００７９】
次に、印刷基本情報が取得される（ステップＳ２０２）。印刷基本情報１４４は、印刷条件のうち印刷層にかかる部分の情報であり、プリンタの種類、解像度、インクおよびテクスチャ材料の種類、重ね印刷回数等を含みうる。印刷基本情報１４４は、ネットワーク、記録メディアを含むシステム外部から、通信装置、メディア読出装置等を介して入出力装置１４０へと入力され、印刷基本情報１３４として記憶装置１２０に記憶されている。
【００８０】
次に、画像−燃焼度変換テーブルが特定される（ステップＳ２０３）。画像−燃焼度変換テーブル１４６は、入出力装置１４０へと入力され、画像−燃焼度変換テーブル１２４として記憶装置１２０に記憶されている。印刷基本情報（プリンタの種類、解像度、インクおよびテクスチャ材料の種類、重ね印刷回数等）に基づいて、記憶装置１２０に記録されている複数のテーブルの中から特定の画像−燃焼度変換テーブルが選択される。
【００８１】
次に、印刷画像データが取得される（ステップＳ２０４）。印刷画像データ１４８は、ネットワーク、記録メディアを含むシステム外部から、通信装置、メディア読出装置等を介して入出力装置１４０へと入力され、印刷画像データ１２６として記憶装置１２０に記憶されている。印刷画像データの解像度とプリンタの解像度とは一致する。本実施形態では、印刷画像データ１２６は、ピクセル毎に、Ｃ（シアン）、Ｍ（マゼンタ）、Ｙ（イエロー）、Ｔ（テクスチャ）の４個の濃度データを有する。
【００８２】
次に、画像−燃焼度変換テーブル１２４と印刷画像データ１２６とから、サンプリングエリアについて印刷層の合計燃焼度（以下、「サンプリングエリアの燃焼度」）が演算され、燃焼度データ１２８として、記憶装置１２０に記録される（ステップＳ２０５）。本実施形態における「燃焼度」は、サンプリングエリアに適用されるインクおよびテクスチャ材料の合計重量である。該燃焼度は、サンプリングエリアにおけるベース層ないし追加層の燃焼度を含んでもよい。
【００８３】
図６Ａ、図６Ｂ、図６Ｃは、第２実施形態における、印刷画像データ、サンプリングエリア、ピクセルの関係を示す模式図である。図６Ａ、図６Ｂに示すように、本実施形態において、サンプリングエリア６２は、印刷画像データ６０の一部を切り出した領域である。例えば、印刷画像データ６０は、１０００ｍｍ×１０００ｍｍの矩形領域であり、サンプリングエリア６２は、１００ｍｍ×１００ｍｍの矩形領域である。
【００８４】
図６Ｃの拡大部６４に示すように、サンプリングエリア６２は複数のピクセル６６のマトリクスからなる。解像度が１ｍｍあたり１００ピクセルであるとすると、印刷画像データは１０００００ピクセル×１０００００ピクセルとなり、サンプリングエリアは１００００ピクセル×１００００ピクセルとなる。印刷画像データ６０の左上隅のピクセルの座標を（０，０）とすると、右下隅のピクセルの座標は（９９９９９，９９９９９）となる。サンプリングエリア６２の左上隅のピクセルの座標を（ｘ１，ｙ１）とし、右下隅のピクセルの座標を（ｘ２，ｙ２）とすると、ｘ２＝ｘ１＋９９９９、ｙ２＝ｙ１＋９９９９との関係が成り立つ。
【００８５】
本実施形態では、例えば、（ｘ１，ｙ１）＝（０，０）から始め、（ｘ１，ｙ１）＝（９００００，０）まで０．１ｍｍ（１０ピクセル）ずつずらして、それぞれのサンプリングエリアの燃焼度を演算し、さらに、（ｘ１，ｙ１）＝（０，１０）から始め、（ｘ１，ｙ１）＝（９００００，１０）まで０．１ｍｍ（１０ピクセル）ずつずらして、それぞれのサンプリングエリアの燃焼度を演算するといった具合に、ｘ方向およびｙ方向に０．１ｍｍ（１０ピクセル）ずつずらしながら、印刷画像データの全面ないし全体において網羅的に、（ｘ１，ｙ１）＝（９００００，９００００）となるまで、各サンプリングエリアの燃焼度が演算され、記憶装置１２０に記録される。
【００８６】
印刷画像データの端部に近いサンプリングエリアにおける燃焼度の演算は、印刷画像データにより形成される印刷層ないし積層シートが繰り返しタイルのように並べられる（適用される）ことを想定して、印刷画像データの反対側部分を用いて実行されてもよい。この場合には、（ｘ１，ｙ１）＝（９９９９０，９９９９０）となるまで、各サンプリングエリアの燃焼度が演算され、記憶装置１２０に記録されうる。
【００８７】
印刷画像データの反対側部分を用いた燃焼度の演算において、例えば、（ｘ１，ｙ１）＝（９９９９０，９９９９０）のときのサンプリングエリアの燃焼度は、印刷画像データにおいて、（９９９９０，９９９９０）と（９９９９９，９９９９９）とを左上隅および右下隅とする部分の燃焼度と、（９９９９０，０）と（９９９９９，９９９０）とを左上隅および右下隅とする部分の燃焼度と、（０，９９９９０）と（９９９０，９９９９９）とを左上隅および右下隅とする部分の燃焼度と、（０，０）と（９９９０，９９９０）とを左上隅および右下隅とする部分の燃焼度との合計とすることができる。
【００８８】
図７は、第２実施形態における、図６Ｃの拡大画像に対応する各インクおよびテクスチャ材料の濃度マトリクスを示す模式図である。図に示すように、本実施形態では、シアン濃度マトリクスＡＣに印刷画像データのうちのシアンの濃度データが格納されており、マゼンタ濃度マトリクスＡＭに印刷画像データのうちのマゼンタの濃度データが格納されており、イエロー濃度マトリクスＡＹに印刷画像データのうちのイエローの濃度データが格納されており、テクスチャ濃度マトリクスＡＴに印刷画像データのうちのテクスチャの濃度データが格納されている。濃度データは、０から１００までのパーセントで示されている。各マトリクスの小さなセルに記載されている数値のそれぞれが濃度データである。本実施形態において、座標（ｘ，ｙ）におけるシアンの濃度データを、ＡＣ（ｘ，ｙ）、マゼンタの濃度データをＡＭ（ｘ，ｙ）、イエローの濃度データをＡＹ（ｘ，ｙ）、テクスチャの濃度データをＡＴ（ｘ，ｙ）、と表記する。
【００８９】
図８は、第２実施形態における、画像−燃焼度変換テーブルを示す模式図である。本実施形態において、画像−燃焼度変換テーブルは、各インクおよびテクスチャ材料ごとに設定されている。シアン塗料の適用量ＢＣは、画像データにおけるシアンの濃度値ＡＣの関数である。マゼンタ塗料の適用量ＢＭは、画像データにおけるマゼンタの濃度値ＡＭの関数である。イエロー塗料の適用量ＢＹは、画像データにおけるイエローの濃度値ＡＹの関数である。テクスチャ塗料の適用量ＢＴは、画像データにおけるテクスチャの濃度値ＡＴの関数である。ｂがａの関数であるとは、ここでは、ａを定めればｂが一意に定まることを意味する。濃度値と適用量とは必ずしも比例関係にある必要はなく、例えば、非線型の関係にあってもよい。典型的には、適用量Ｂは濃度値Ａについて広義の単調増加関数である。すなわち、Ａ２＞Ａ１であればＢ（Ａ２）≧Ｂ（Ａ１）である、という関係が成立する。
【００９０】
図９は、第２実施形態における、サンプリングエリアの燃焼度を求める式である。上述の通り、（ｘ１，ｙ１）＝（０，０）から始めて、（ｘ１，ｙ１）＝（９００００，９００００）となるまで、順次、各サンプリングエリアの燃焼度が演算され、記憶装置１２０に記録される。
【００９１】
上述の説明では、図９に示す通り、サンプリングエリア毎に燃焼度Ｂ（ｘ１，ｙ１）が演算されることとしたが、全ピクセルの燃焼度が先に演算および記録され、その後に、各サンプリングエリアについて、当該サンプリングエリアに属するピクセルの燃焼度が合計されて当該サンプリングエリアの合計燃焼度が演算されてもよい。
ステップＳ２０５において、各サンプリングエリアの合計燃焼度の演算が完了すると、合計燃焼度の最も高いサンプリングエリアが特定される。
【００９２】
次に、合計燃焼度の最も高いサンプリングエリアの合計燃焼度が、サンプリングエリア単位の燃焼度の基準値を超えているか否かが判断される（ステップＳ２０６）。合計燃焼度が基準値を超えていなければ、積層シートは燃焼度基準を満たす、すなわち、当該積層シートについて燃焼試験を行えば、燃焼度基準を満たすとの結果が得られる蓋然性が高い、と判定される。一方、合計燃焼度が基準値を超えていれば、積層シートは燃焼度基準を満たさない、すなわち、当該積層シートについて燃焼試験を行えば、燃焼度基準を満たすとの結果が得られる蓋然性は高くない、と判定される。
【００９３】
合計燃焼度の最も高いサンプリングエリアの合計燃焼度に代えて、サンプリングエリアの平均燃焼度が用いられてもよい。サンプリングエリアの平均燃焼度とは、燃焼度の演算が複数のサンプリングエリアについて行われる場合において、当該複数のサンプリングエリアにおける燃焼度の平均値をいう。
【００９４】
本実施形態において、燃焼度の基準値は、以下のように求められうる。積層シートの燃焼度基準は、総発熱量の基準値により定められており、同一種類の基材シート、接着剤層、塗料を用いた場合に、サンプリングエリアの面積あたりに適用される塗料の合計重量について、積層シートが燃焼度基準を満たさなくなる閾値を、実験により予め求めることができる。閾値となる合計重量を、燃焼度の基準値として採用することができる。安全のため、閾値よりも一定量だけ低い合計重量を、燃焼度の基準値として採用してもよい。
【００９５】
ステップＳ２０６において合計燃焼度が基準値を超えていないと判断された場合（ＮＯ）には、ＣＰＵ１１０の指令に従い、プリンタ１３０により、基材シート２の第１主面上にインク層３およびテクスチャ層４が印刷されて（ステップＳ２０７）、積層シート製造システム２００の動作が終了する（エンド）。
【００９６】
ステップＳ２０６において合計燃焼度が基準値を超えていると判断された場合（ＹＥＳ）には、基材シート２の第１主面上にインク層３およびテクスチャ層４は印刷されずに、積層シート製造システム２００の動作は停止されて（ステップＳ２０８）、該動作は終了する（エンド）。
【００９７】
ステップＳ２０８における動作停止に伴い、以下のように、様々な処理が実行されうる。
【００９８】
例えば、ＣＰＵ１１０が、印刷画像データ１４８に判定結果を付加した判定結果付き印刷画像データ１５２を生成して出力してもよい。判定結果付き印刷画像データ１５２は、記憶装置１２０に記憶されてもよいし、入出力装置１４０を介してシステム外部へと出力されてもよい。図１０は、第２実施形態における、判定結果付き印刷画像データの一例を示す概念図である。図の例では、印刷画像データにマージンが付加されており、該マージンに、判定結果である「ＮＯＴ  ＰＡＳＳＥＤ」の文字列が埋め込まれている。基準値を超えていないとの判定結果であれば、例えば、「ＰＡＳＳＥＤ」の文字列が埋め込まれてもよい。マージンは必須ではなく、デジタル透かし等を用いて、印刷画像データの画像部分に判定結果が埋め込まれてもよいし、印刷画像データファイルのヘッダ部等に判定結果が書き込まれてもよい。
【００９９】
ＣＰＵ１１０が、印刷画像データ１４８における燃焼度の高低を示す燃焼度画像データ１５４を生成して出力してもよい。燃焼度画像データ１５４は、記憶装置１２０に記憶されてもよいし、入出力装置１４０を介してシステム外部へと出力されてもよい。図１１は、第２実施形態における、燃焼度画像データの一部を拡大した燃焼度マトリクスの一例を示す概念図である。図の例では、燃焼度が０から１００までの数値で表されており、印刷画像データの各ピクセルに対応する燃焼度が各ピクセルの濃度値とされている。図１２は、第２実施形態における、燃焼度画像データの一例を示す概念図である。燃焼度画像データは、それ自体、印刷画像データと同一のサイズと解像度とを有するグレースケール画像データでありうる。図の例では、丸の模様部分が最も燃焼度が高くなっており、その結果、より濃い色で示されている。燃焼度が厚みである場合において、基準値を超えるピクセルが特定の色（例えば、グレースケールと異なる、赤、青等の一定以上の彩度を有する色）で示されていてもよい。
【０１００】
ＣＰＵ１１０が、印刷画像データ１４８においてサンプリングエリア単位の燃焼度基準を満たさないサンプリングエリアをマーキングした高燃焼度部位画像データ１５６を生成して出力する。高燃焼度部位画像データ１５６は、記憶装置１２０に記憶されてもよいし、入出力装置１４０を介してシステム外部へと出力されてもよい。図１３は、第２実施形態における、高燃焼度部位画像データの一例を示す概念図である。燃焼度画像データは、それ自体、印刷画像データと同一のサイズと解像度とを有する白黒２値の画像データでありうる。図の例では、丸の模様部分が最も燃焼度が高くなっている結果、当該部分を含む一定の領域がサンプリングエリア単位の燃焼度基準を満たさなくなり、黒く塗りつぶされることでマーキングされている。
【０１０１】
ステップＳ２０８における動作停止に伴い、ＣＰＵ１１０が入出力装置１４０を介して警告信号を出力してもよい。
【０１０２】
ステップＳ２０８の動作停止に伴う上記の処理は、互いに排他的ではなく、組み合わせて実行されてもよい。例えば、警告信号が、判定結果付き印刷画像データ１５２等と共に出力されてもよい。
【０１０３】
ステップＳ２０６において合計燃焼度が基準値を超えていないと判断された場合に、ＣＰＵ１１０の指令に基づいてプリンタ１３０が、印刷条件および印刷画像データ１４８に従い、印刷画像データ１４８において燃焼度が最も高いサンプリングエリアにつき印刷層を形成してもよい。印刷層が形成されたサンプリングエリアを試料として用いて燃焼度試験等を行うことで、燃焼度基準を満たすことが確認されてもよい。
【０１０４】
図１４は、第２実施形態の第１変形例における、サンプリングエリアの燃焼度を求める式である。第１変形例において、演算される燃焼度は、印刷層の最大厚みＣである。上述の通り、（ｘ１，ｙ１）＝（０，０）から始めて、（ｘ１，ｙ１）＝（９００００，９００００）となるまで、順次、各サンプリングエリアの燃焼度が演算され、記憶装置１２０に記録される。第１変形例において、画像−燃焼度変換テーブルは、各インクおよびテクスチャ材料ごとに設定されている。シアン塗料の厚みＣＣは、画像データにおけるシアンの濃度値ＡＣの関数である。マゼンタ塗料の厚みＣＭは、画像データにおけるマゼンタの濃度値ＡＭの関数である。イエロー塗料の厚みＣＹは、画像データにおけるイエローの濃度値ＡＹの関数である。テクスチャ塗料の厚みＣＴは、画像データにおけるテクスチャの濃度値ＡＴの関数である。ｂがａの関数であるとは、ここでは、ａを定めればｂが一意に定まることを意味する。濃度値と適用量とは必ずしも比例関係にある必要はなく、非直線関係にあってもよい。典型的には、厚みＣは濃度値Ａについて広義の単調増加関数である。すなわち、Ａ２＞Ａ１のとき、Ｃ（Ａ２）≧Ｃ（Ａ１）が成立する。第１変形例では、塗料の厚みに基づいて、積層シートの燃焼度を評価することができる。サンプリングエリア毎に厚みの最大値を求めることは必須ではなく、印刷画像データ全体における厚みの最大値が求められてもよい。かかる場合は、各ピクセルをサンプリングエリアと考えることもできる。
【０１０５】
図１５は、第２実施形態の第２変形例にかかる積層シート製造方法の概略の一例を示すフローチャートである。該方法は、積層シート製造システム２００の動作方法とすることができ、コンピュータ１５０が、記憶部１２０に記憶されたプログラム１２２をＣＰＵ１１０により実行させることにより実現されうる。
【０１０６】
図１５の第２変形例にかかる積層シート製造方法は、図５におけるステップＳ２０８の動作停止が、ステップＳ２０９である印刷画像データの修正に置換されている他は、図５の方法と同一とすることができる。よって、ステップＳ２０９以外のステップについては、図５と同一の符号を付して詳細な説明を省略する。
【０１０７】
ステップＳ２０６において基準値を超えていると判断された場合（ＹＥＳ）には、基材シート２の第１主面上にインク層３およびテクスチャ層４は印刷されずに、印刷画像データの修正が行われ（ステップＳ２０９）、再度、燃焼度の演算と燃焼度が最大となるサンプリングエリアの特定へと戻る（ステップＳ２０５）。印刷画像データの修正は人間が行ってもよいし、ＣＰＵ１１０が実行してもよいし、ＣＰＵ１１０の支援を受けて人間が行ってもよい。
【０１０８】
例えば、印刷画像データの修正を人間が行う場合において、修正作業の参考とするために、燃焼度画像データ、高燃焼度部位画像データ等の画像が、ＣＰＵ１１０により入出力装置１４０および／またはディスプレイ１６０を介して出力されてもよい。
【０１０９】
例えば、印刷画像データの修正をＣＰＵ１１０が行う場合において、テクスチャ層の厚み、適用量、重量等を一定割合で低減させてもよく、低減させる領域は、印刷画像データの全体にわたってもよいし、基準値を超えたサンプリングエリアのみとしてもよい。
【０１１０】
（実験例）
本開示の目的及び利点について、以下、実験例によって更に説明する。これらの実験例に記載する特定の材料及びその量、並びに他の条件及び詳細は、本開示を不当に限定するように解釈されるべきではない。特に断らないかぎり、実験例及び本明細書の他の部分における全ての部、割合（％）、比率などは、重量基準である。
【０１１１】
［印刷条件］
プリンタは、ＬＥＤ方式ＵＶ硬化フラットベッドインクジェットプリンタ（長野県東御市ミマキ［Ｍｉｍａｋｉ  Ｅｎｇｉｎｅｅｒｉｎｇ  Ｃｏ．，  Ｌｔｄ．，Ｔｏｍｉ，Ｎａｇａｎｏ，Ｊａｐａｎ］製ＵＪＦ３０４２ＦＸ）を用いた。インクは、３Ｍ製ＬＵＳ２００マゼンタを用いた。ＣＭＹＫカラーモードの印刷画像データの調製は、Ａｄｏｂｅ製Ｉｌｌｕｓｔｒａｔｏｒ  ＣＳ５により行った。
【０１１２】
印刷画像データの解像度は７２０ｄｐｉとし、厚さ４７μｍの白色ポリ塩化ビニルフィルム（以下、ＰＶＣフィルム）上に印刷した。印刷モードは、７２０ｘ６００ＶＤ  １６ｐａｓｓ  Ｕｎｉｄｉｒｅｃｔｉｏｎａｌ  Ｐｒｉｎｔとし、用紙設定（Ｍｅｄｉａ  ｐｒｏｆｉｌｅ）はＵＶ  ＰＥＴを使用した。
【０１１３】
［画像−燃焼度変換テーブルの作成］
濃度データを１０％刻みで１０％から１００％までとした単色ベタ塗りの印刷画像データを印刷して、画像−燃焼度変換テーブルを作成した。印刷層の厚みは、カッターナイフにより切断した断面をシックネスゲージ（ＴＥＣＬＯＣＫ製ＰＣ−４６５Ｎ）により測定した。印刷層の重量は、直径１３ｍｍの円形パンチで打ち抜いた試料の重量を測定して求めた。
【０１１４】
適用量を印刷層の厚みとした場合の結果を以下の表１および図１６に示す。
【０１１５】
【表１】
2020049784.tif 000003
【０１１６】
適用量を印刷層の単位面積当たり重量とした場合の結果を以下の表２および図１７に示す。
【０１１７】
【表２】
2020049784.tif 000004
【０１１８】
［燃焼試験］
ＩＳＯ５６６０−１に従い、コーン熱量計法にて試験を行った。具体的には、コーン熱量計（Ｔｏｙｏ−Ｓｅｉｋｉ製）を用いて、放熱率（ＨＲＲ：Ｈｅａｔ  Ｒｅｌｅａｓｅ  Ｒａｔｅ、単位：ｋＷ／ｍ２）および総放熱量（ＴＨＲ：Ｔｏｔａｌ  Ｈｅａｔ  Ｒｅｌｅａｓｅ、単位：ＭＪ／ｍ２）を計測した。ＨＲＲが２００ｋＷ／ｍ２を超える時間が１０秒以下であり、かつ、２０分間の総放熱量が８ＭＪ／ｍ２以下である場合に、燃焼度基準を満たすとした。
【０１１９】
［燃焼試験試料の作製］
酢酸エチル中にて、アクリル酸ブチル（ＢＡ）：２−エチル−ヘキシル−アクリレート（２ＥＨＡ）：アクリロニトリル（ＡＮ）：アクリル酸（ＡＡ）＝５８：３６：２：４の割合で混合した接着剤ポリマー（Ｔｇ：−５℃、Ｍｗ：５００，０００、固形物：３３％）と、トルエン中のビスアミド（１，１’−イソフタロイル−ビス（２−メチルアジリヂン）（固形物：５％、３Ｍ製）からなる架橋剤とを非揮発成分について１００：０．２の割合で混合し、接着剤とした。該接着剤はシリコーンでコーティングされたポリエチレン積層紙（以下、ライナー）の上に、ナイフコーターを用いてコーティングされた。接着剤層は９５℃にて５分間乾燥され、厚さ３５μｍの感圧性接着剤層が得られた。接着剤層の上にＰＶＣフィルム（厚み：４７μｍ）を積層し、そのさらに上、すなわちＰＶＣフィルムの主面のうち接着剤層と接していない側、に印刷が行われた。
【０１２０】
下記６種類のパターンで印刷層を形成し、印刷されたフィルムをプラスターボード（吉野石膏製、材料：石膏、厚み：１２．５ｍｍ）に貼り付けて１００ｍｍ×１００ｍｍの試料を作成し、燃焼試験に供した。
【０１２１】
［実験例１］
濃度値が９０％である、３００ｍｍ×４２０ｍｍの矩形ベタ塗りパターンとした。重ね印刷回数は４回とした。
【０１２２】
プラスターボード（厚さ１２．５ｍｍ、１００ｍｍ×１００ｍｍ）の片面にプライマー（３Ｍ製：ＷＰ２４６）を１０ｇ／ｍ２で適用した。印刷済みのＰＶＣフィルムをライナーから剥離して、プライマー上に張り付けた。
【０１２３】
画像−燃焼度変換テーブルにより、印刷層の重量は４２ｇ／ｍ２と計算された。
【０１２４】
［実験例２］
濃度値が１００％である、図１８に示す三角の繰り返しパターンを３００ｍｍ×４２０ｍｍで印刷した。重ね印刷回数は８回とした。図１８のパターンでは、各セルが１０ｍｍ×１０ｍｍである１０×１０のマトリクスに、市松状に、底辺１０ｍｍ、高さ１０ｍｍの三角形が等色ベタ塗りで印刷されている。印刷された部分の面積は全体の２５％となる。
【０１２５】
プラスターボード（厚さ１２．５ｍｍ、１００ｍｍ×１００ｍｍ）の片面にプライマー（３Ｍ製：ＤＰ９００Ｎ３）を１０ｇ／ｍ２で適用した。印刷済みのＰＶＣフィルムをライナーから剥離して、プライマー上に張り付けた。
【０１２６】
画像−燃焼度変換テーブルにより、印刷層の重量は３５ｇ／ｍ２と計算された。
【０１２７】
［実験例３］
濃度値が１００％である、一辺６３．２ｍｍの正方形を等色ベタ塗りで印刷した。重ね印刷回数は８回とした。印刷された部分の面積は全体の４０％となる。
【０１２８】
プラスターボード（厚さ１２．５ｍｍ、１００ｍｍ×１００ｍｍ）の片面にプライマー（３Ｍ製：ＤＰ９００Ｎ３）を１０ｇ／ｍ２で適用した。印刷済みのＰＶＣフィルムをライナーから剥離して、プライマー上に張り付けた。
【０１２９】
画像−燃焼度変換テーブルにより、印刷層の重量は５５ｇ／ｍ２と計算された。
【０１３０】
［実験例４］
濃度値が１００％である、図１９に示す円の繰り返しパターンを３００ｍｍ×４２０ｍｍで印刷した。重ね印刷回数は８回とした。図１９のパターンでは、各セルが１０ｍｍ×１０ｍｍである１０×１０のマトリクスに、市松状に、直径１０ｍｍの円を等色ベタ塗りで印刷した。印刷された部分の面積は全体の３９．２５％となる。
【０１３１】
プラスターボード（厚さ１２．５ｍｍ、１００ｍｍ×１００ｍｍ）の片面にプライマー（３Ｍ製：ＤＰ９００Ｎ３）を１０ｇ／ｍ２で適用した。印刷済みのＰＶＣフィルムをライナーから剥離して、プライマー上に張り付けた。
【０１３２】
画像−燃焼度変換テーブルにより、印刷層の重量は５４ｇ／ｍ２と計算された。
【０１３３】
［実験例５］
濃度値が５０％である、３００ｍｍ×４２０ｍｍの矩形ベタ塗りパターン（重ね印刷回数：４回）の上に、実施例２（図１８）と同じパターン（濃度値１００％、各セルが１０ｍｍ×１０ｍｍである１０×１０のマトリクス、市松状、底辺１０ｍｍ、高さ１０ｍｍの三角形、重ね印刷回数：８回）を等色ベタ塗りで印刷した。
【０１３４】
プラスターボード（厚さ１２．５ｍｍ、１００ｍｍ×１００ｍｍ）の片面にプライマー（３Ｍ製：ＤＰ９００Ｎ３）を１０ｇ／ｍ２で適用した。印刷済みのＰＶＣフィルムをライナーから剥離して、プライマー上に張り付けた。
【０１３５】
画像−燃焼度変換テーブルにより、印刷層の重量は５０ｇ／ｍ２と計算された。
【０１３６】
［実験例６］
濃度値が９０％である、３００ｍｍ×４２０ｍｍの矩形ベタ塗りパターンとした。重ね印刷回数は８回とした。
【０１３７】
プラスターボード（厚さ１２．５ｍｍ、１００ｍｍ×１００ｍｍ）の片面にプライマー（３Ｍ製：ＤＰ９００Ｎ３）を１０ｇ／ｍ２で適用した。印刷済みのＰＶＣフィルムをライナーから剥離して、プライマー上に張り付けた。
【０１３８】
画像−燃焼度変換テーブルにより、印刷層の重量は８４ｇ／ｍ２と計算された。
【０１３９】
［結果］
燃焼試験の結果を表３に示す。
【０１４０】
【表３】
2020049784.tif 000005
【０１４１】
表に示すように、印刷層の重量と積層シートが燃焼度基準を満たすか否かとは相関があり、印刷層の重量を指標（燃焼度）として、燃焼度基準を満たすか否かの判定を行うことができる。
【０１４２】
（他の実施形態）
第１実施形態にかかる、印刷層を有する積層シートの第１の製造方法は、画像データに含まれる特定領域の濃度データと当該画像データに基づき印刷が行われた場合の当該特定領域に対応する印刷層の燃焼度とを関連付けるテーブルを画像−燃焼度変換テーブルとするとき、プロセッサが、積層シートの印刷条件に適合する画像−燃焼度変換テーブルを特定することと、プロセッサが、積層シートの印刷層を形成するための画像データである印刷画像データを取得することと、プロセッサが、画像−燃焼度変換テーブルと印刷画像データとに基づいて、印刷層の燃焼度を演算することと、プロセッサが、演算された燃焼度に基づいて、積層シートが燃焼度基準を満たすか否かを判定することと、燃焼度基準を満たすと判定された場合に、プロセッサの指令に基づいてプリンタが、印刷条件および印刷画像データに従って印刷層を形成することと、を含む。
【０１４３】
第２の製造方法は、第１の製造方法であって、印刷層が基材シート上に形成され、印刷条件には基材シート情報が含まれ、プロセッサが、基材シート情報に基づいて画像−燃焼度変換テーブルを特定し、プロセッサが、画像−燃焼度変換テーブルと印刷画像データとに基づいて、積層シートの燃焼度を演算し、プロセッサが、積層シートの燃焼度を基準値と比較することにより、積層シートが燃焼度基準を満たすか否かを判定する。
【０１４４】
第３の製造方法は、第１の製造方法であって、印刷層が基材シート上に形成され、プロセッサが、画像−燃焼度変換テーブルと印刷画像データとに基づいて、印刷層の燃焼度を演算し、プロセッサが、印刷層の燃焼度を、基材シートに応じて定められた基準値と比較することにより、積層シートが燃焼度基準を満たすか否かを判定する。
【０１４５】
第４の製造方法は、第１の製造方法であって、印刷層が基材シート上に形成され、プロセッサが、画像−燃焼度変換テーブルと印刷画像データと基材シートの燃焼度とに基づいて、積層シートの燃焼度を演算し、プロセッサが、積層シートの燃焼度を基準値と比較することにより、積層シートが燃焼度基準を満たすか否かを判定する。
【０１４６】
第５の製造方法は、第１ないし第４の製造方法であって、印刷層が積層シートの表面に凹凸を形成するためのテクスチャ層を含み、画像データがテクスチャ層を形成するためのデータを含む。
【０１４７】
第６の製造方法は、第１ないし第５の製造方法であって、画像−燃焼度変換テーブルは、印刷層を形成する塗料の種類毎に、画像データ上の濃度と、プリンタによる塗料の適用量とを関連付けたテーブルである。
【０１４８】
第７の製造方法は、第１ないし第５の製造方法であって、画像−燃焼度変換テーブルは、印刷層を形成する塗料の種類毎に、画像データ上の１ピクセル単位の濃度と、プリンタによる１ピクセル単位の塗料の適用量とを関連付けたテーブルである。
【０１４９】
第８の製造方法は、第６または第７の製造方法であって、画像データは、シアン、マゼンタ、イエロー、テクスチャの少なくとも４種類の濃度データを含み、塗料は、シアン、マゼンタ、イエロー、テクスチャの少なくとも４種類を含む。
【０１５０】
第９の製造方法は、第１ないし第８の製造方法であって、燃焼度を演算することは、サンプリングエリアにおける印刷層の燃焼度を演算することであり、プロセッサが、サンプリングエリアにおける印刷層の燃焼度に基づいて判定を行う。
【０１５１】
第１０の製造方法は、第９の製造方法であって、さらに、プロセッサの指令に基づいてプリンタが、印刷条件および印刷画像データに従い、燃焼度が最も高いサンプリングエリアにつき印刷層を形成することを含む。
【０１５２】
第１１の製造方法は、第９または第１０の製造方法であって、燃焼度は、サンプリングエリアにおける塗料の適用量と対応している。
【０１５３】
第１２の製造方法は、第９ないし第１１の製造方法であって、プロセッサが、印刷画像データの全面でサンプリングエリアを順次移動させ、それぞれのサンプリングエリアの燃焼度を演算する。
【０１５４】
第１３の製造方法は、第９ないし第１２の製造方法であって、プロセッサが、最も燃焼度の高いサンプリングエリアの燃焼度を基準値と比較することにより、積層シートが燃焼度基準を満たすか否かを判定する。
【０１５５】
第１４の製造方法は、第９ないし第１２の製造方法であって、プロセッサが、サンプリングエリアの平均燃焼度を基準値と比較することにより、積層シートが燃焼度基準を満たすか否かを判定する。
【０１５６】
第１５の製造方法は、第６、第７、第１１の製造方法であって、適用量は、塗料の重量、塗料の厚さ、塗料中の樹脂の重量の少なくともいずれかである。
【０１５７】
第１６の製造方法は、第１ないし第１５の製造方法であって、印刷層がインクジェットプリンタで形成される。
【０１５８】
印刷層と接着剤層とを有する積層シートの第１７の製造方法は、第１ないし第１６のいずれかの製造方法で製造された印刷層を有する積層シートを取得し、積層シートの一方の面に接着剤層を形成する。
【０１５９】
印刷層を有する積層シートの第１８の製造システムは、画像データに含まれる特定領域の濃度データと当該画像データに基づき印刷が行われた場合の当該特定領域に対応する印刷層の燃焼度とを関連付けるテーブルを画像−燃焼度変換テーブルとするとき、積層シートの印刷条件に適合する画像−燃焼度変換テーブルを特定する変換テーブル特定手段と、積層シートの印刷層を形成するための画像データである印刷画像データを取得する印刷画像データ取得手段と、画像−燃焼度変換テーブルと印刷画像データとに基づいて、印刷層の燃焼度を演算する燃焼度演算手段と、演算された燃焼度に基づいて、積層シートが燃焼度基準を満たすか否かを判定する判定手段と、燃焼度基準を満たすと判定された場合に、印刷条件および印刷画像データに従って印刷層を形成する印刷層形成手段と、を含む。
【０１６０】
なお、変換テーブル特定手段は変換テーブル特定装置であってもよく、印刷画像データ取得手段は印刷画像データ取得装置であってもよく、燃焼度演算手段は燃焼度演算装置であってもよく、判定手段は判定装置であってもよく、印刷層形成手段は印刷層形成装置であってもよい（以下同様）。
【０１６１】
第１９の製造システムは、第１８の製造システムであって、印刷層が基材シート上に形成され、印刷条件には基材シート情報が含まれ、変換テーブル特定手段は、基材シート情報に基づいて画像−燃焼度変換テーブルを特定し、燃焼度演算手段は、画像−燃焼度変換テーブルと印刷画像データとに基づいて、積層シートの燃焼度を演算し、判定手段は、積層シートの燃焼度を基準値と比較することにより、積層シートが燃焼度基準を満たすか否かを判定する。
【０１６２】
第２０の製造システムは、第１８の製造システムであって、印刷層が基材シート上に形成され、燃焼度演算手段は、画像−燃焼度変換テーブルと印刷画像データとに基づいて、印刷層の燃焼度を演算し、判定手段は、印刷層の燃焼度を、基材シートに応じて定められた基準値と比較することにより、積層シートが燃焼度基準を満たすか否かを判定する。
【０１６３】
第２１の製造システムは、第１８の製造システムであって、印刷層が基材シート上に形成され、燃焼度演算手段は、画像−燃焼度変換テーブルと印刷画像データと基材シートの燃焼度とに基づいて、積層シートの燃焼度を演算し、判定手段は、積層シートの燃焼度を基準値と比較することにより、積層シートが燃焼度基準を満たすか否かを判定する。
【０１６４】
第２２の製造システムは、第１８ないし第２１の製造システムであって、印刷層が積層シートの表面に凹凸を形成するためのテクスチャ層を含み、画像データがテクスチャ層を形成するためのデータを含む。
【０１６５】
第２３の製造システムは、第１８ないし第２２の製造システムであって、画像−燃焼度変換テーブルは、印刷層を形成する塗料の種類毎に、画像データ上の濃度と、プリンタによる適用量とを関連付けたテーブルである。
【０１６６】
第２４の製造システムは、第１８ないし第２２の製造システムであって、画像−燃焼度変換テーブルは、印刷層を形成する塗料の種類毎に、画像データ上の１ピクセル単位の濃度と、プリンタによる１ピクセル単位の適用量とを関連付けたテーブルである。
【０１６７】
第２５の製造システムは、第２３または第２４の製造システムであって、画像データは、シアン、マゼンタ、イエロー、テクスチャの少なくとも４種類の濃度データを含み、塗料は、シアン、マゼンタ、イエロー、テクスチャの少なくとも４種類を含む。
【０１６８】
第２６の製造システムは、第１８ないし第２５の製造システムであって、燃焼度演算手段は、サンプリングエリアにおける印刷層の燃焼度を演算するように構成され、判定手段は、サンプリングエリアにおける印刷層の燃焼度に基づいて判定を行うように構成されている。
【０１６９】
第２７の製造システムは、第２６の製造システムであって、さらに、印刷条件および印刷画像データに従い、燃焼度が最も高いサンプリングエリアにつき印刷層を形成するサンプル形成手段を含む。
【０１７０】
なお、サンプル形成手段はサンプル形成装置であってもよい（以下同様）。
【０１７１】
第２８の製造システムは、第２６または第２７の製造システムであって、燃焼度は、サンプリングエリアにおける塗料の適用量である。
【０１７２】
第２９の製造システムは、第２６ないし第２８の製造システムであって、燃焼度演算手段は、印刷画像データの全面でサンプリングエリアを順次移動させ、それぞれのサンプリングエリアの燃焼度を演算するように構成されている。
【０１７３】
第３０の製造システムは、第２６ないし第２９の製造システムであって、判定手段は、最も燃焼度の高いサンプリングエリアの燃焼度を基準値と比較することにより、積層シートが燃焼度基準を満たすか否かを判定するように構成されている。
【０１７４】
第３１の製造システムは、第２６ないし第２９の製造システムであって、判定手段は、サンプリングエリアの平均燃焼度を基準値と比較することにより、積層シートが燃焼度基準を満たすか否かを判定するように構成されている。
【０１７５】
第３２の製造システムは、第２３、第２４、第２８の製造システムであって、適用量は、塗料の重量、塗料の厚さ、塗料中の樹脂の重量の少なくともいずれかである。
【０１７６】
第３３の製造システムは、第１８−第３２のいずれかの製造システムであって、印刷層形成手段が、インクジェットプリンタを含む。
【０１７７】
第３４のプログラムは、画像データに含まれる特定領域の濃度データと当該画像データに基づき印刷が行われた場合の当該特定領域に対応する印刷層の燃焼度とを関連付けるテーブルを画像−燃焼度変換テーブルとするとき、積層シートの印刷条件に適合する画像−燃焼度変換テーブルを特定することと、積層シートの印刷層を形成するための画像データである印刷画像データを取得することと、画像−燃焼度変換テーブルと印刷画像データとに基づいて、印刷層の燃焼度を演算することと、演算された燃焼度に基づいて、積層シートが燃焼度基準を満たすか否かを判定することと、燃焼度基準を満たすと判定された場合に、印刷条件および印刷画像データに従って印刷層を形成することと、をコンピュータに実行させるためのものである。
【０１７８】
なお、プログラムは、当該プログラムを格納したコンピュータ読み取り可能かつ非一時的（non-transient）な記憶媒体としても実現されうる（以下同様）。
【０１７９】
第３５のプログラムは、第３４のプログラムであって、印刷層が基材シート上に形成され、印刷条件には基材シート情報が含まれ、基材シート情報に基づいて画像−燃焼度変換テーブルが特定され、画像−燃焼度変換テーブルと印刷画像データとに基づいて、積層シートの燃焼度が演算され、積層シートの燃焼度を基準値と比較することにより、積層シートが燃焼度基準を満たすか否かが判定される。
【０１８０】
第３６のプログラムは、第３４のプログラムであって、印刷層が基材シート上に形成され、画像−燃焼度変換テーブルと印刷画像データとに基づいて、印刷層の燃焼度が演算され、印刷層の燃焼度を、基材シートに応じて定められた基準値と比較することにより、積層シートが燃焼度基準を満たすか否かが判定される。
【０１８１】
第３７のプログラムは、第３４のプログラムであって、印刷層が基材シート上に形成され、画像−燃焼度変換テーブルと印刷画像データと基材シートの燃焼度とに基づいて、積層シートの燃焼度が演算され、積層シートの燃焼度を基準値と比較することにより、積層シートが燃焼度基準を満たすか否かが判定される。
【０１８２】
第３８のプログラムは、第３４ないし第３７のプログラムであって、印刷層が積層シートの表面に凹凸を形成するためのテクスチャ層を含み、画像データがテクスチャ層を形成するためのデータを含む。
【０１８３】
第３９のプログラムは、第３４ないし第３８のプログラムであって、画像−燃焼度変換テーブルは、印刷層を形成する塗料の種類毎に、画像データ上の濃度と、プリンタによる適用量とを関連付けたテーブルである。
【０１８４】
第４０のプログラムは、第３４ないし第３８のプログラムであって、画像−燃焼度変換テーブルは、印刷層を形成する塗料の種類毎に、画像データ上の１ピクセル単位の濃度と、プリンタによる１ピクセル単位の適用量とを関連付けたテーブルである。
【０１８５】
第４１のプログラムは、第３９または第４０のプログラムであって、画像データは、シアン、マゼンタ、イエロー、テクスチャの少なくとも４種類の濃度データを含み、塗料は、シアン、マゼンタ、イエロー、テクスチャの少なくとも４種類を含む。
【０１８６】
第４２のプログラムは、第３４ないし第４１のプログラムであって、燃焼度を演算することは、サンプリングエリアにおける印刷層の燃焼度を演算することであり、判定は、サンプリングエリアにおける印刷層の燃焼度に基づいて行われる。
【０１８７】
第４３のプログラムは、第４２のプログラムであって、さらに、コンピュータに、印刷条件および印刷画像データに従い、燃焼度が最も高いサンプリングエリアにつき印刷層を形成させることを含む。
【０１８８】
第４４のプログラムは、第４２または第４３のプログラムであって、燃焼度は、サンプリングエリアにおける塗料の適用量と対応している。
【０１８９】
第４５のプログラムは、第４２ないし第４４のプログラムであって、コンピュータに、印刷画像データの全面でサンプリングエリアを順次移動させ、それぞれのサンプリングエリアの燃焼度を演算させる。
【０１９０】
第４６のプログラムは、第４２ないし第４５のプログラムであって、コンピュータに、最も燃焼度が高いサンプリングエリアの燃焼度を基準値と比較することにより、積層シートが燃焼度基準を満たすか否かを判定させる。
【０１９１】
第４７のプログラムは、第４２ないし第４５のプログラムであって、コンピュータに、サンプリングエリアの平均燃焼度を基準値と比較することにより、積層シートが燃焼度基準を満たすか否かを判定させる。
【０１９２】
第４８のプログラムは、第３９、第４０、第４４のプログラムであって、適用量は、塗料の重量、塗料の厚さ、塗料中の樹脂の重量の少なくともいずれかである。
【０１９３】
第４９のプログラムは、第３４−第４８のプログラムであって、印刷条件および印刷画像データに従って印刷層を形成することを、インクジェットプリンタを用いて実行するためのものである。
【０１９４】
第５０の印刷層を有する積層シートは、画像データに含まれる特定領域の濃度データと当該画像データに基づき印刷が行われた場合の当該特定領域に対応する印刷層の燃焼度とを関連付けるテーブルを画像−燃焼度変換テーブルとするとき、画像−燃焼度変換テーブルと印刷画像データとに基づいて演算された印刷層の燃焼度が、積層シートの燃焼度基準に係る基準を満たす。
【０１９５】
第５１の積層シートは、第５０の積層シートであって、印刷層が、テクスチャ層を有している。
【０１９６】
第５２の積層シートは、第５１の積層シートであって、テクスチャ層が、ＵＶ硬化樹脂を有している。
【０１９７】
第５３の積層シートは、第５０ないし第５２の積層シートであって、印刷層がインクジェットプリンタにより形成されている。
【０１９８】
第５４の積層シートは、第１ないし第１７のいずれかに記載の製造方法により製造された積層シートである。
【０１９９】
（さらなる実施形態）
［１Ａ］  画像データに含まれる特定領域の濃度データと当該画像データに基づき印刷が行われた場合の当該特定領域に対応する印刷層の燃焼度とを関連付けるテーブルを画像−燃焼度変換テーブルとするとき、
プロセッサが、積層シートの印刷条件に適合する画像−燃焼度変換テーブルを特定することと、
プロセッサが、積層シートの印刷層を形成するための画像データである印刷画像データを取得することと、
プロセッサが、画像−燃焼度変換テーブルと印刷画像データとに基づいて、印刷層の燃焼度を演算することと、を含む
方法。
【０２００】
［２Ａ］  さらに、プロセッサが、印刷画像データにおける燃焼度の高低を示す燃焼度画像データを生成して出力することを含む、［１Ａ］に記載の方法。
【０２０１】
［３Ａ］  印刷層が積層シートの表面に凹凸を形成するためのテクスチャ層を含み、
画像データがテクスチャ層を形成するためのデータを含む、
［１Ａ］または［２Ａ］に記載の方法。
【０２０２】
［４Ａ］  画像−燃焼度変換テーブルは、印刷層を形成する塗料の種類毎に、画像データ上の濃度と、プリンタによる適用量とを関連付けたテーブルである、［１Ａ］ないし［３Ａ］のいずれかに記載の方法。
【０２０３】
［５Ａ］  画像−燃焼度変換テーブルは、印刷層を形成する塗料の種類毎に、画像データ上の１ピクセル単位の濃度と、プリンタによる１ピクセル単位の適用量とを関連付けたテーブルである、［１Ａ］ないし［３Ａ］のいずれかに記載の方法。
【０２０４】
［６Ａ］  画像データは、シアン、マゼンタ、イエロー、テクスチャの少なくとも４種類の濃度データを含み、
塗料は、シアン、マゼンタ、イエロー、テクスチャの少なくとも４種類を含む、［４Ａ］または［５Ａ］に記載の方法。
【０２０５】
［７Ａ］  燃焼度を演算することは、サンプリングエリアにおける印刷層の燃焼度を演算することである、
［１Ａ］ないし［６Ａ］のいずれかに記載の方法。
【０２０６】
［８Ａ］  さらに、プロセッサの指令に基づいてプリンタが、印刷条件および印刷画像データに従い、燃焼度が最も高いサンプリングエリアにつき印刷層を形成することを含む、［７Ａ］に記載の方法。
【０２０７】
［９Ａ］  燃焼度は、サンプリングエリアにおける塗料の適用量である、［７Ａ］または［８Ａ］に記載の方法。
【０２０８】
［１０Ａ］  プロセッサが、印刷画像データの全面でサンプリングエリアを順次移動させ、それぞれのサンプリングエリアの燃焼度を演算する、［７Ａ］ないし［９Ａ］のいずれかに記載の方法。
【０２０９】
［１１Ａ］  適用量は、塗料の重量、塗料の厚さ、塗料中の樹脂の重量の少なくともいずれかである、［４Ａ］、［５Ａ］、［９Ａ］のいずれかに記載の方法。
【０２１０】
［１Ｂ］  画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定する変換テーブル特定手段と、
積層シートの印刷層を形成するための画像データである印刷画像データを取得する印刷画像データ取得手段と、
画像−燃焼度変換テーブルと印刷画像データとに基づいて、印刷層の燃焼度を演算する燃焼度演算手段と、を含む
装置。
【０２１１】
［２Ｂ］  さらに、印刷画像データにおける燃焼度の高低を示す燃焼度画像データを生成して出力する燃焼度画像データ出力手段を含む、［１Ｂ］に記載の装置。
【０２１２】
［３Ｂ］  印刷層が積層シートの表面に凹凸を形成するためのテクスチャ層を含み、
画像データがテクスチャ層を形成するためのデータを含む、
［１Ｂ］ないし［２Ｂ］に記載の装置。
【０２１３】
［４Ｂ］  画像−燃焼度変換テーブルは、印刷層を形成する塗料の種類毎に、画像データ上の濃度と、プリンタによる適用量とを関連付けたテーブルである、［１Ｂ］ないし［３Ｂ］のいずれかに記載の装置。
【０２１４】
［５Ｂ］  画像−燃焼度変換テーブルは、印刷層を形成する塗料の種類毎に、画像データ上の１ピクセル単位の濃度と、プリンタによる１ピクセル単位の適用量とを関連付けたテーブルである、［１Ｂ］ないし［３Ｂ］のいずれかに記載の装置。
【０２１５】
［６Ｂ］  印刷画像データは、シアン、マゼンタ、イエロー、テクスチャの少なくとも４種類の濃度データを含み、
塗料は、シアン、マゼンタ、イエロー、テクスチャの少なくとも４種類を含む、［４Ｂ］または［５Ｂ］に記載の装置。
【０２１６】
［７Ｂ］  燃焼度演算手段は、サンプリングエリアにおける印刷層の燃焼度を演算するように構成されている、
［１Ｂ］ないし［６Ｂ］のいずれかに記載の装置。
【０２１７】
［８Ｂ］  さらに、印刷条件および印刷画像データに従い、燃焼度が最も高いサンプリングエリアにつき印刷層を形成するサンプル形成手段を含む、［７Ｂ］に記載の装置。
【０２１８】
［９Ｂ］  燃焼度は、サンプリングエリアにおける塗料の適用量である、［７Ｂ］または［８Ｂ］に記載の装置。
【０２１９】
［１０Ｂ］  燃焼度演算手段は、印刷画像データの全面でサンプリングエリアを順次移動させ、それぞれのサンプリングエリアの燃焼度を演算するように構成されている、［７Ｂ］ないし［９Ｂ］のいずれかに記載の装置。
【０２２０】
［１１Ｂ］  適用量は、塗料の重量、塗料の厚さ、塗料中の樹脂の重量の少なくともいずれかである、［４Ｂ］、［５Ｂ］、［９Ｂ］のいずれかに記載の装置。
【０２２１】
［１Ｃ］  画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定することと、
積層シートの印刷層を形成するための画像データである印刷画像データを取得することと、
画像−燃焼度変換テーブルと印刷画像データとに基づいて、印刷層の燃焼度を演算することと、をコンピュータに実行させるためのプログラム。
【０２２２】
［２Ｃ］  さらに、コンピュータに、印刷画像データにおける燃焼度の高低を示す燃焼度画像データを生成して出力させることを含む、［１Ｃ］に記載のプログラム。
【０２２３】
［３Ｃ］  印刷層が積層シートの表面に凹凸を形成するためのテクスチャ層を含み、
画像データがテクスチャ層を形成するためのデータを含む、
［１Ｃ］または［２Ｃ］に記載のプログラム。
【０２２４】
［４Ｃ］  画像−燃焼度変換テーブルは、印刷層を形成する塗料の種類毎に、画像データ上の濃度と、プリンタによる適用量とを関連付けたテーブルである、［１Ｃ］ないし［３Ｃ］のいずれかに記載のプログラム。
【０２２５】
［５Ｃ］  画像−燃焼度変換テーブルは、印刷層を形成する塗料の種類毎に、画像データ上の１ピクセル単位の濃度と、プリンタによる１ピクセル単位の適用量とを関連付けたテーブルである、［１Ｃ］ないし［３Ｃ］のいずれかに記載のプログラム。
【０２２６】
［６Ｃ］  画像データは、シアン、マゼンタ、イエロー、テクスチャの少なくとも４種類の濃度データを含み、
塗料は、シアン、マゼンタ、イエロー、テクスチャの少なくとも４種類を含む、［４Ｃ］または［５Ｃ］に記載のプログラム。
【０２２７】
［７Ｃ］  燃焼度を演算することは、サンプリングエリアにおける印刷層の燃焼度を演算することである、［１Ｃ］ないし［６Ｃ］のいずれかに記載のプログラム。
【０２２８】
［８Ｃ］  さらに、コンピュータに、印刷条件および印刷画像データに従い、燃焼度が最も高いサンプリングエリアにつき印刷層を形成させることを含む、［７Ｃ］に記載の方法。
【０２２９】
［９Ｃ］  燃焼度は、サンプリングエリアにおける塗料の適用量である、［７Ｃ］または［８Ｃ］に記載のプログラム。
【０２３０】
［１０Ｃ］  印刷画像データの全面でサンプリングエリアを順次移動させ、それぞれのサンプリングエリアの燃焼度を演算する、［７Ｃ］ないし［９Ｃ］のいずれかに記載のプログラム。
【０２３１】
［１１Ｃ］  適用量は、塗料の重量、塗料の厚さ、塗料中の樹脂の重量の少なくともいずれかである、［４Ｃ］、［５Ｃ］、［９Ｃ］のいずれかに記載のプログラム。
【０２３２】
［１２Ｃ］  ［１Ｃ］ないし［１１Ｃ］のプログラムを記録した非一時的（non-transient）な記録媒体。
【０２３３】
［１Ｄ］  画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定することと、
積層シートの印刷層を形成するための画像データである印刷画像データを取得することと、
画像−燃焼度変換テーブルと印刷画像データとに基づいて、印刷層の燃焼度を演算することと、
演算された燃焼度に基づいて、印刷層を有する積層シートが燃焼度基準を満たすか否かを判定することと、
判定結果を出力することと、を含む
方法。
【０２３４】
［２Ｄ］  判定結果の出力は、以下の少なくともいずれかである、［１Ｄ］に記載の方法。
Ａ）燃焼度基準が満たされる場合にのみ、印刷条件および印刷画像データに従って印刷層を形成する。
Ｂ）印刷画像データに判定結果を付加した判定結果付き印刷画像データを生成して出力する。
Ｃ）積層シートが燃焼度基準を満たさない場合に、警告信号を出力する。
【０２３５】
［３Ｄ］  さらに、印刷画像データにおける燃焼度の高低を示す燃焼度画像データを生成して出力することを含む、［１Ｄ］または［２Ｄ］のいずれかに記載の方法。
【０２３６】
［４Ｄ］  印刷層が積層シートの表面に凹凸を形成するためのテクスチャ層を含み、
画像データがテクスチャ層を形成するためのデータを含む、
［１Ｄ］ないし［３Ｄ］のいずれかに記載の方法。
【０２３７】
［５Ｄ］  画像−燃焼度変換テーブルは、印刷層を形成する塗料の種類毎に、画像データ上の濃度と、プリンタによる適用量とを関連付けたテーブルである、［１Ｄ］ないし［４Ｄ］のいずれかに記載の方法。
【０２３８】
［６Ｄ］  画像−燃焼度変換テーブルは、印刷層を形成する塗料の種類毎に、画像データ上の１ピクセル単位の濃度と、プリンタによる１ピクセル単位の適用量とを関連付けたテーブルである、［１Ｄ］ないし［４Ｄ］のいずれかに記載の方法。
【０２３９】
［７Ｄ］  画像データは、シアン、マゼンタ、イエロー、テクスチャの少なくとも４種類の濃度データを含み、
塗料は、シアン、マゼンタ、イエロー、テクスチャの少なくとも４種類を含む、［５Ｄ］または［６Ｄ］に記載の方法。
【０２４０】
［８Ｄ］  燃焼度を演算することは、サンプリングエリアにおける印刷層の燃焼度を演算することであり、
判定は、サンプリングエリアにおける印刷層の燃焼度に基づいて行う、
［１Ｄ］ないし［７Ｄ］のいずれかに記載の方法。
【０２４１】
［９Ｄ］  判定結果の出力は、印刷画像データにおいてサンプリングエリア単位の燃焼度基準を満たさないサンプリングエリアをマーキングした高燃焼度部位画像データを生成して出力することである、［８Ｄ］に記載の方法。
【０２４２】
［１０Ｄ］  さらに、印刷条件および印刷画像データに従い、燃焼度が最も高いサンプリングエリアにつき印刷層を形成することを含む、［８Ｄ］または［９Ｄ］に記載の方法。
【０２４３】
［１１Ｄ］  燃焼度は、サンプリングエリアにおける塗料の適用量である、［８Ｄ］ないし［１０Ｄ］のいずれかに記載の方法。
【０２４４】
［１２Ｄ］  印刷画像データの全面でサンプリングエリアを順次移動させ、それぞれのサンプリングエリアの燃焼度を演算する、［８Ｄ］ないし［１１Ｄ］のいずれかに記載の方法。
【０２４５】
［１３Ｄ］  最も燃焼度の高いサンプリングエリアの燃焼度を基準値と比較することにより、積層シートが燃焼度基準を満たすか否かを判定する、［８Ｄ］ないし［１２Ｄ］のいずれかに記載の方法。
【０２４６】
［１４Ｄ］  サンプリングエリアの平均燃焼度を基準値と比較することにより、積層シートが燃焼度基準を満たすか否かを判定する、［８Ｄ］ないし［１２Ｄ］のいずれかに記載の方法。
【０２４７】
［１５Ｄ］  適用量は、塗料の重量、塗料の厚さ、塗料中の樹脂の重量の少なくともいずれかである、［５Ｄ］、［６Ｄ］、［１１Ｄ］のいずれかに記載の方法。
【０２４８】
［１Ｅ］  画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定する変換テーブル特定手段と、
積層シートの印刷層を形成するための画像データである印刷画像データを取得する印刷画像データ取得手段と、
画像−燃焼度変換テーブルと印刷画像データとに基づいて、印刷層の燃焼度を演算する燃焼度演算手段と、
演算された燃焼度に基づいて、印刷層を有する積層シートが燃焼度基準を満たすか否かを判定する判定手段と、
判定結果を出力する判定結果出力手段と、を含む
装置。
【０２４９】
［２Ｅ］  判定結果出力手段は、以下の少なくともいずれかである、［１Ｅ］に記載の装置。
Ａ）燃焼度基準が満たされる場合にのみ、印刷条件および印刷画像データに従って印刷層を形成する印刷層形成手段。
Ｂ）印刷画像データに判定結果を付加した判定結果付き印刷画像データを生成して出力する印刷画像データ出力手段。
Ｃ）積層シートが燃焼度基準を満たさない場合に、警告信号を出力する警告出力手段。
【０２５０】
［３Ｅ］  さらに、印刷画像データにおける燃焼度の高低を示す燃焼度画像データを生成して出力する燃焼度画像データ出力手段を含む、［１Ｅ］または［２Ｅ］のいずれかに記載の装置。
【０２５１】
［４Ｅ］  印刷層が積層シートの表面に凹凸を形成するためのテクスチャ層を含み、
画像データがテクスチャ層を形成するためのデータを含む、
［１Ｅ］ないし［３Ｅ］のいずれかに記載の装置。
【０２５２】
［５Ｅ］  画像−燃焼度変換テーブルは、印刷層を形成する塗料の種類毎に、画像データ上の濃度と、プリンタによる適用量とを関連付けたテーブルである、［１Ｅ］ないし［４Ｅ］のいずれかに記載の装置。
【０２５３】
［６Ｅ］  画像−燃焼度変換テーブルは、印刷層を形成する塗料の種類毎に、画像データ上の１ピクセル単位の濃度と、プリンタによる１ピクセル単位の適用量とを関連付けたテーブルである、［１Ｅ］ないし［４Ｅ］のいずれかに記載の装置。
【０２５４】
［７Ｅ］  画像データは、シアン、マゼンタ、イエロー、テクスチャの少なくとも４種類の濃度データを含み、
塗料は、シアン、マゼンタ、イエロー、テクスチャの少なくとも４種類を含む、［５Ｅ］または［６Ｅ］に記載の装置。
【０２５５】
［８Ｅ］  燃焼度演算手段は、サンプリングエリアにおける印刷層の燃焼度を演算するように構成され、
判定手段は、サンプリングエリアにおける印刷層の燃焼度に基づいて判定を行うように構成されている、
［１Ｅ］ないし［７Ｅ］のいずれかに記載の装置。
【０２５６】
［９Ｅ］  判定結果出力手段は、印刷画像データにおいてサンプリングエリア単位の燃焼度基準を満たさないサンプリングエリアをマーキングした高燃焼度部位画像データを生成して出力する高燃焼度部位画像データ出力手段である、［８Ｅ］に記載の装置。
【０２５７】
［１０Ｅ］  さらに、印刷条件および印刷画像データに従い、燃焼度が最も高いサンプリングエリアにつき印刷層を形成するサンプル形成手段を含む、［８Ｅ］または［９Ｅ］に記載の装置。
【０２５８】
［１１Ｅ］  燃焼度は、サンプリングエリアにおける塗料の適用量である、［８Ｅ］ないし［１０Ｅ］のいずれかに記載の装置。
【０２５９】
［１２Ｅ］  燃焼度演算手段は、印刷画像データの全面でサンプリングエリアを順次移動させ、それぞれのサンプリングエリアの燃焼度を演算するように構成されている、［８Ｅ］ないし［１１Ｅ］のいずれかに記載の装置。
【０２６０】
［１３Ｅ］  判定手段は、最も燃焼度が高いサンプリングエリアの燃焼度を基準値と比較することにより、積層シートが燃焼度基準を満たすか否かを判定するように構成されている、［８Ｅ］ないし［１２Ｅ］のいずれかに記載の装置。
【０２６１】
［１４Ｅ］  判定手段は、サンプリングエリアの平均燃焼度を基準値と比較することにより、積層シートが燃焼度基準を満たすか否かを判定するように構成されている、［８Ｅ］ないし［１２Ｅ］のいずれかに記載の装置。
【０２６２】
［１５Ｅ］  適用量は、塗料の重量、塗料の厚さ、塗料中の樹脂の重量の少なくともいずれかである、［５Ｅ］、［６Ｅ］、［１１Ｅ］のいずれかに記載の装置。
【０２６３】
［１Ｆ］  画像データに含まれる特定領域の濃度データと当該画像データに基づき印刷が行われた場合の当該特定領域に対応する印刷層の燃焼度とを関連付けるテーブルを画像−燃焼度変換テーブルとするとき、
積層シートの印刷条件に適合する画像−燃焼度変換テーブルを特定することと、
積層シートの印刷層を形成するための画像データである印刷画像データを取得することと、
画像−燃焼度変換テーブルと印刷画像データとに基づいて、印刷層の燃焼度を演算することと、
演算された燃焼度に基づいて、印刷層を有する積層シートが燃焼度基準を満たすか否かを判定することと、
判定結果を出力することと、をコンピュータに実行させるためのプログラム。
【０２６４】
［２Ｆ］  判定結果の出力は、以下の少なくともいずれかである、［１Ｆ］に記載のプログラム。
Ａ）燃焼度基準が満たされる場合にのみ、印刷条件および印刷画像データに従って印刷層を形成する。
Ｂ）印刷画像データに判定結果を付加した判定結果付き印刷画像データを生成して出力する。
Ｃ）積層シートが燃焼度基準を満たさない場合に、警告信号を出力する。
【０２６５】
［３Ｆ］  さらに、コンピュータに、印刷画像データにおける燃焼度の高低を示す燃焼度画像データを生成して出力させることを含む、［１Ｆ］または［２Ｆ］のいずれかに記載のプログラム。
【０２６６】
［４Ｆ］  印刷層が積層シートの表面に凹凸を形成するためのテクスチャ層を含み、
印刷画像データがテクスチャ層を形成するためのデータを含む、
［１Ｆ］ないし［３Ｆ］のいずれかに記載のプログラム。
【０２６７】
［５Ｆ］  画像−燃焼度変換テーブルは、印刷層を形成する塗料の種類毎に、画像データ上の濃度と、プリンタによる適用量とを関連付けたテーブルである、［１Ｆ］ないし［４Ｆ］のいずれかに記載のプログラム。
【０２６８】
［６Ｆ］  画像−燃焼度変換テーブルは、印刷層を形成する塗料の種類毎に、画像データ上の１ピクセル単位の濃度と、プリンタによる１ピクセル単位の適用量とを関連付けたテーブルである、［１Ｆ］ないし［４Ｆ］のいずれかに記載のプログラム。
【０２６９】
［７Ｆ］  印刷画像データは、シアン、マゼンタ、イエロー、テクスチャの少なくとも４種類の濃度データを含み、
塗料は、シアン、マゼンタ、イエロー、テクスチャの少なくとも４種類を含む、［５Ｆ］または［６Ｆ］に記載のプログラム。
【０２７０】
［８Ｆ］  燃焼度を演算することは、サンプリングエリアにおける印刷層の燃焼度を演算することであり、
判定は、サンプリングエリアにおける印刷層の燃焼度に基づいて行う、
［１Ｆ］ないし［７Ｆ］のいずれかに記載のプログラム。
【０２７１】
［９Ｆ］  判定結果の出力は、印刷画像データにおいてサンプリングエリア単位の燃焼度基準を満たさないサンプリングエリアをマーキングした高燃焼度部位画像データを生成して出力することである、［８Ｆ］に記載のプログラム。
【０２７２】
［１０Ｆ］  さらに、コンピュータに、印刷条件および印刷画像データに従い、燃焼度が最も高いサンプリングエリアにつき印刷層を形成させることを含む、［８Ｆ］または［９Ｆ］に記載の方法。
【０２７３】
［１１Ｆ］  燃焼度は、サンプリングエリアにおける塗料の適用量である、［８Ｆ］ないし［１０Ｆ］のいずれかに記載のプログラム。
【０２７４】
［１２Ｆ］  燃焼度を演算することは、印刷画像データの全面でサンプリングエリアを順次移動させ、それぞれのサンプリングエリアの燃焼度を演算することである、［８Ｆ］ないし［１１Ｆ］のいずれかに記載のプログラム。
【０２７５】
［１３Ｆ］  最も燃焼度が高いサンプリングエリアの燃焼度を基準値と比較することにより、積層シートが燃焼度基準を満たすか否かを判定する、［８Ｆ］ないし［１２Ｆ］のいずれかに記載のプログラム。
【０２７６】
［１４Ｆ］  サンプリングエリアの平均燃焼度を基準値と比較することにより、積層シートが燃焼度基準を満たすか否かを判定する、［８Ｆ］ないし［１２Ｆ］のいずれかに記載のプログラム。
【０２７７】
［１５Ｆ］  適用量は、塗料の重量、塗料の厚さ、塗料中の樹脂の重量の少なくともいずれかである、［５Ｆ］、［６Ｆ］、［１１Ｆ］のいずれかに記載のプログラム。
【０２７８】
［１６Ｆ］  ［１Ｆ］ないし［１５Ｆ］のいずれかに記載のプログラムを記録した記録媒体。
【０２７９】
本明細書において引用したすべての特許、特許出願及び公報、刊行物、並びに電子的に入手可能な資料の全開示が、参照により組み込まれる。本出願の開示内容と参照により本明細書に組み込まれたいずれかの文書の開示内容との間に何らかの矛盾が存在する場合には、本出願の開示内容が優先するものとする。上記の実施形態及び実施例は、理解の明確性のために示したものに過ぎない。それらから、いかなる不要な限定も理解されるべきではない。本開示は図示及び記載された細部そのものに限定されず、当業者に明白な変化形態は、特許請求の範囲および均等論によって定義される範囲内に含まれる。
【０２８０】
すべての項目名は、読み手の便宜のためのものであり、そのように特定されない限り、項目名に続く本文の意味を限定するために使用されるべきはでない。
【０２８１】
本発明の趣旨及び範囲から逸脱することなく、様々な修正を行うことが可能である。これらの実施形態及び他の実施形態は、特許請求の範囲および均等論によって定義される範囲内に含まれるものである。
【図１】
2020049784.tif 000006
【図２】
2020049784.tif 000007
【図３】
2020049784.tif 000008
【図４】
2020049784.tif 000009
【図５】
2020049784.tif 000010
【図６Ａ】
2020049784.tif 000011
【図６Ｂ】
2020049784.tif 000012
【図６Ｃ】
2020049784.tif 000013
【図７】
2020049784.tif 000014
【図８】
2020049784.tif 000015
【図９】
2020049784.tif 000016
【図１０】
2020049784.tif 000017
【図１１】
2020049784.tif 000018
【図１２】
2020049784.tif 000019
【図１３】
2020049784.tif 000020
【図１４】
2020049784.tif 000021
【図１５】
2020049784.tif 000022
【図１６】
2020049784.tif 000023
【図１７】
2020049784.tif 000024
【図１８】
2020049784.tif 000025
【図１９】
2020049784.tif 000026